(57)【特許請求の範囲】
【請求項１】
スペクトルアグリゲーションのデータ送信方法であって、少なくとも１つの時分割二重（ＴＤＤ）セルと少なくとも１つの周波数分割二重（ＦＤＤ）セルが含まれている複数のセルをユーザーデバイス（ＵＥ）のために構成し、
ダウンリンクアグリゲーションが複数の異なるタイプのセルで実行される場合に、前記方法は、
前記複数のセルのダウンリンクハイブリッド自動再送要求（ＨＡＲＱ）情報を複数のセルにおける１つのＴＤＤセルに対応するアップリンクサブフレームで集中し送信し、前記ＴＤＤセルがプライマリセルであり、他のセルがセカンダリセルであり、プライマリセルのアップリンク−ダウンリンク構成が構成Ｘであり、Ｘ∈｛０，１，２，３，４，５，６｝であると仮定することと、
各ＦＤＤセルでＵＥのためにダウンリンクサブフレームを構成し、ネットワーク側デバイスが、構成されたダウンリンクサブフレームのみで前記ＵＥに対する物理ダウンリンク制御チャネル（ＰＤＣＣＨ）／物理ダウンリンク共有チャネル（ＰＤＳＣＨ）を送信でき、ＵＥが、構成されたダウンリンクサブフレームで前記ＰＤＣＣＨ／ＰＤＳＣＨを検出し受信することに合意し、または、
ネットワーク側デバイスとＵＥが、ＵＥが１つまたは複数のダウンリンクサブフレームで自分へ送信されたＰＤＣＣＨ／ＰＤＳＣＨがなければ、前記ダウンリンクサブフレーム以外のサブフレームで自分へ送信されるＰＤＣＣＨ／ＰＤＳＣＨがある可能性があると認めることに合意することと、
複数のセルにおける１つのＦＤＤセルに対して、前記ダウンリンクサブフレームで前記ＵＥへ送信されたＰＤＳＣＨのＨＡＲＱタイミングに対して、ネットワーク側デバイスとＵＥが、アップリンク−ダウンリンク構成Ｙ∈｛０，１，２，３，４，５，６｝におけるＰＤＳＣＨのＨＡＲＱタイミングを使用することに合意することとを含み、
前記Ｙは、下記のやり方１、やり方２、およびやり方３のいずれか一つのやり方で確定され、
やり方１：前記ＦＤＤセルに対して、前記ダウンリンクサブフレームが、１つの無線フレームにおけるダウンリンクサブフレームはアップリンク−ダウンリンク構成Ｘに含まれているダウンリンクサブフレームの１つの部分集合である場合に、Ｙ＝Ｘであり、
やり方２：前記ＦＤＤセルに対して、前記ダウンリンクサブフレームが、１つの無線フレームにおけるダウンリンクサブフレームはアップリンク−ダウンリンク構成Ｘに含まれているダウンリンクサブフレームの１つの上位集合である場合に、前記ダウンリンクサブフレームが１つの無線フレームにおけるダウンリンクサブフレームがアップリンク−ダウンリンク構成Ｚに含まれているダウンリンクサブフレームの１つの部分集合であることを要求し、Ｚ∈｛０，１，２，３，４，５，６｝であり、このときに、Ｙ＝Ｚであり、
やり方３：前記ＦＤＤセルに対して、前記ダウンリンクサブフレームが、１つの無線フレームにおけるダウンリンクサブフレームはアップリンク−ダウンリンク構成Ｘに含まれているダウンリンクサブフレームの１つの上位集合ではなくて、アップリンク−ダウンリンク構成Ｘに含まれているダウンリンクサブフレームの１つの部分集合でもない場合に、前記ダウンリンクサブフレームが、１つの無線フレームにおけるダウンリンクサブフレームがアップリンク−ダウンリンク構成Ｚに含まれているダウンリンクサブフレームの１つの部分集合であることを要求し、Ｚ∈｛０，１，２，３，４，５，６｝であり、このときに、Ｙ＝Ｍである、
方法。
【請求項２】
前記ネットワーク側デバイスとＵＥが、アップリンク−ダウンリンク構成Ｙ∈｛０，１，２，３，４，５，６｝におけるＰＤＳＣＨのＨＡＲＱタイミングを使用することに合意することは、具体的に、
ネットワーク側において、ネットワーク側デバイスが、アップリンク−ダウンリンク構成Ｙのタイミングに従って、前記ダウンリンクサブフレームでＰＤＳＣＨのダウンリンク許可およびＰＤＳＣＨを送信することを、相応的なダウンリンクサブフレームで送信しスケジューリングし、アップリンク−ダウンリンク構成Ｙのタイミングに従ってプライマリセルに対応するアップリンクサブフレームで前記ＦＤＤセルのＰＤＳＣＨのＨＡＲＱ情報を受信することと、
ＵＥ側において、ＵＥが、アップリンク−ダウンリンク構成Ｙのタイミングに従って相応的なダウンリンクサブフレームで前記ＰＤＳＣＨのダウンリンク許可およびＰＤＳＣＨを受信し、アップリンク−ダウンリンク構成Ｙのタイミングに従ってプライマリセルに対応するアップリンクサブフレームで前記ＦＤＤセルのＰＤＳＣＨのＨＡＲＱ情報を送信することとを含む
ことを特徴とする請求項１に記載の方法。
【請求項３】
前記方法は、さらに、
前記やり方３のシナリオにおいて、Ｙ＝Ｍである場合に、アップリンク−ダウンリンク構成Ｍ∈｛０，１，２，３，４，５，６｝のアップリンクサブフレームがアップリンク−ダウンリンク構成Ｚのアップリンクサブフレームの部分集合であることを要求し、アップリンク−ダウンリンク構成Ｍのアップリンクサブフレームもアップリンク−ダウンリンク構成Ｘのアップリンクサブフレームの部分集合であることを同時に要求することを含む
ことを特徴とする請求項１に記載の方法。
【請求項４】
前記方法は、さらに、
複数のＹ値が選択されることができる場合に、ネットワーク側デバイスはＵＥと合意してそのなかの一つのＹ値を使用することを含み、
前記Ｙを選択するやり方は、複数のＹ値のうち最小値、または、複数のＹ値のうち最大値、または、ＨＡＲＱ時間遅延最小に対応するアップリンク−ダウンリンク構成インデックスを使用することに合意することを含み、あるいは、
前記Ｙを選択するやり方は、合意条件の動的変化に基づいて異なる時刻に異なるアップリンク−ダウンリンク構成インデックスを使用することを含む
ことを特徴とする請求項２に記載の方法。
【請求項５】
前記ネットワーク側デバイスとＵＥが、アップリンク−ダウンリンク構成Ｙ∈｛０，１，２，３，４，５，６｝におけるＰＤＳＣＨのＨＡＲＱタイミングを使用することに合意することを通知するやり方は、
ネットワーク側デバイスが明示的シグナルを介してＵＥへ通知すること、および
ネットワーク側デバイスが暗黙的やり方でＵＥへ通知することのいずれか一つを含む
ことを特徴とする請求項１に記載の方法。
【請求項６】
スペクトルアグリゲーションのデータ送信方法であって、少なくとも１つの時分割二重（ＴＤＤ）セルと少なくとも１つの周波数分割二重（ＦＤＤ）セルが含まれている複数のセルをユーザーデバイス（ＵＥ）のために構成し、
アップリンクアグリゲーションが複数の異なるタイプのセルで実行される場合に、前記方法は、
各ＦＤＤセルにおいてＵＥのためにアップリンクサブフレームを構成して、前記ＵＥが、構成されたアップリンクサブフレームのみで物理アップリンク共有チャネル（ＰＵＳＣＨ）を送信でき、ネットワーク側デバイスが前記ＵＥのために、前記ＵＥが前記アップリンクサブフレームでＰＵＳＣＨを送信することに用いられるアップリンク許可を送信できることに合意し、または、
ネットワーク側デバイスとＵＥが、ＵＥが１つまたは複数のダウンリンクサブフレームで自分へ送信されたアップリンク許可がなければ、前記ダウンリンクサブフレーム以外のサブフレームで自分へ送信されたアップリンク許可がある可能性があると認めることに合意することと、
複数のセルにおける１つのＦＤＤセルに対して、ＵＥが前記アップリンクサブフレームでＰＵＳＣＨのＨＡＲＱタイミングを送信することに対して、ネットワーク側デバイスとＵＥが、アップリンク−ダウンリンク構成Ｐ∈｛０，１，２，３，４，５，６｝におけるＰＵＳＣＨのＨＡＲＱタイミングを使用することに合意することとを含み、
前記Ｐは、下記のやり方１およびやり方２のいずれか一つのやり方によって確定され、
やり方１：ＵＥが非クロスキャリアスケジューリングモードで動作する場合に、複数のセルにおける１つのＦＤＤセルに対して、前記アップリンクサブフレームが、１つの無線フレームにおけるアップリンクサブフレームはアップリンク−ダウンリンク構成Ｙ∈｛０，１，２，３，４，５，６｝に含まれているアップリンクサブフレームの１つの部分集合である場合に、Ｐ＝Ｙであり、
やり方２：ＵＥがクロスキャリアスケジューリングモードで動作する場合に、複数のセルにおける１つのＦＤＤセルに対して、前記アップリンクサブフレームで送信されたＰＵＳＣＨに対して、その対応する前記ＰＵＳＣＨをスケジューリングするためのＰＤＣＣＨまたはＰＨＩＣＨが前記１つのＴＤＤセルに存在し、前記ＴＤＤセルのアップリンク−ダウンリンク構成が構成Ｘ∈｛０，１，２，３，４，５，６｝であると仮定し、前記１つの無線フレームに構成されたアップリンクサブフレームがアップリンク−ダウンリンク構成Ｘに含まれているアップリンクサブフレームの１つの部分集合であり、かつアップリンク−ダウンリンク構成ＸのＰＵＳＣＨの往復時間ＲＴＴが１０ｍｓである場合に、Ｐ＝Ｘであり、
前記１つの無線フレームに構成されたアップリンクサブフレームがアップリンク−ダウンリンク構成Ｘに含まれているアップリンクサブフレームの１つの部分集合ではなく、かつアップリンク−ダウンリンク構成ＸのＰＵＳＣＨの往復時間ＲＴＴが１０ｍｓではない場合に、前記１つの無線フレームに構成されたアップリンクサブフレームがアップリンク−ダウンリンク構成Ｙ∈｛０，１，２，３，４，５，６｝におけるアップリンクサブフレームの１つの部分集合であることを要求し、ここで、
Ｘ＝０，Ｙ＝２または４または５である場合に、Ｐ＝０であり、
Ｘ＝６，Ｙ＝２または５である場合に、Ｐ＝１であり、
Ｘ＝０，Ｙ＝２または４または５あるいはＸ＝６，Ｙ＝２または５の以外のほかの場合に、Ｐ＝Ｙである、
方法。
【請求項７】
前記ネットワーク側デバイスとＵＥが、アップリンク−ダウンリンク構成Ｐ∈｛０，１，２，３，４，５，６｝におけるＰＵＳＣＨのＨＡＲＱタイミングを使用することに合意することは、具体的に、
ネットワーク側において、ネットワーク側デバイスが、アップリンク−ダウンリンク構成Ｐのタイミングに従って、前記ＵＥが前記アップリンクサブフレームでＰＵＳＣＨを送信することに用いられるアップリンク許可を、相応的なダウンリンクサブフレームで送信しスケジューリングすることと、
ＵＥ側において、ＵＥが、アップリンク−ダウンリンク構成Ｐのタイミングに従って、相応的なダウンリンクサブフレームで、前記アップリンクサブフレームで送信する必要があるＰＵＳＣＨのアップリンク許可を検出することとを含む
ことを特徴とする請求項６に記載の方法。
【請求項８】
前記方法は、さらに、
前記アップリンク許可は、物理ダウンリンク制御チャネル（ＰＤＣＣＨ）を介して送信されること、または、物理ハイブリッド自動再送指示チャネル（ＰＨＩＣＨ）を介して送信されることを含み、
または、
複数のＰ値が選択されることができる場合に、ネットワーク側デバイスはＵＥと合意してそのなかの一つのＰ値を使用することを含み、
前記Ｐを選択するやり方は、複数のＰ値のうち最小値、または、複数のＰ値のうち最大値、または、ＨＡＲＱ時間遅延最小に対応するアップリンク−ダウンリンク構成インデックスを使用することに合意することを含み、あるいは、
前記Ｐを選択するやり方は、合意条件の動的変化に基づいて異なる時刻に異なるアップリンク−ダウンリンク構成におけるＰＵＳＣＨのＨＡＲＱタイミングを使用することを含み、
または、
複数のＰ値が選択されることができる場合に、ネットワーク側デバイスがＵＥと合意して使用できるＰ値に対して、アップリンク−ダウンリンク構成Ｐにおいてダウンリンクサブフレームがアップリンク−ダウンリンク構成Ｘにおけるダウンリンクサブフレームの部分集合であることを要求し、
選択されることが可能であるＰ値が複数である場合に、ネットワーク側デバイスは、ＵＥと合意してそのなかの一つのＰ値の使用を可能にし、
前記Ｐを選択するやり方は、複数のＰ値のうち最小値、または、複数のＰ値のうち最大値、または、ＨＡＲＱ時間遅延最小に対応するアップリンク−ダウンリンク構成インデックスを使用することに合意することを含み、あるいは、
前記Ｐを選択するやり方は、合意条件の動的変化に基づいて異なる時刻に異なるアップリンク−ダウンリンク構成インデックスを使用することを含む
ことを特徴とする請求項６に記載の方法。
【請求項９】
スペクトルアグリゲーションのデータ送信装置であって、少なくとも１つの時分割二重（ＴＤＤ）セルと少なくとも１つの周波数分割二重（ＦＤＤ）セルが含まれている複数のセルをユーザーデバイス（ＵＥ）のために構成し、
ダウンリンクアグリゲーションが複数の異なるタイプのセルで実行される場合に、前記装置は、さらに、第一処理ユニットと第二処理ユニットを含み、
前記第一処理ユニットは、前記複数のセルのダウンリンクハイブリッド自動再送要求（ＨＡＲＱ）情報を複数のセルにおける１つのＴＤＤセルに対応するアップリンクサブフレームで集中し送信し、前記ＴＤＤセルがプライマリセルであり、他のセルがセカンダリセルであり、プライマリセルのアップリンク−ダウンリンク構成が構成Ｘであり、Ｘ∈｛０，１，２，３，４，５，６｝であるように構成され、
前記第二処理ユニットは、各ＦＤＤセルでＵＥのためにダウンリンクサブフレームを構成し、ネットワーク側デバイスが、構成されたダウンリンクサブフレームのみで前記ＵＥに対する物理ダウンリンク制御チャネル（ＰＤＣＣＨ）／物理ダウンリンク共有チャネル（ＰＤＳＣＨ）を送信でき、ＵＥが、構成されたダウンリンクサブフレームで前記ＰＤＣＣＨ／ＰＤＳＣＨを検出し受信できることに合意し、または、ネットワーク側デバイスとＵＥが、ＵＥが１つまたは複数のダウンリンクサブフレームで自分へ送信されたＰＤＣＣＨ／ＰＤＳＣＨがなければ、前記ダウンリンクサブフレーム以外のサブフレームで自分へ送信されるＰＤＣＣＨ／ＰＤＳＣＨがある可能性があると認めることに合意するように構成され、
前記第二処理ユニットは、さらに、第一タイミング合意モジュールを含み、
前記第一タイミング合意モジュールは、複数のセルにおける１つのＦＤＤセルに対して、前記ダウンリンクサブフレームで前記ＵＥへ送信されたＰＤＳＣＨのＨＡＲＱタイミングに対して、ネットワーク側デバイスとＵＥが、アップリンク−ダウンリンク構成Ｙ∈｛０，１，２，３，４，５，６｝におけるＰＤＳＣＨのＨＡＲＱタイミングを使用することに合意するように構成され、
前記第一タイミング合意モジュールは、さらに、下記のやり方１、やり方２およびやり方３のいずれか一つのやり方で前記Ｙを確定するように構成され、
やり方１：前記ＦＤＤセルに対して、前記アップリンクサブフレームが、１つの無線フレームにおけるダウンリンクサブフレームはアップリンク−ダウンリンク構成Ｘに含まれているダウンリンクサブフレームの１つの部分集合である場合に、Ｙ＝Ｘであり、
やり方２：前記ＦＤＤセルに対して、前記ダウンリンクサブフレームが、１つの無線フレームにおけるダウンリンクサブフレームはアップリンク−ダウンリンク構成Ｘに含まれているダウンリンクサブフレームの１つの上位集合である場合に、前記ダウンリンクサブフレームが１つの無線フレームにおけるダウンリンクサブフレームがアップリンク−ダウンリンク構成Ｚに含まれているダウンリンクサブフレームの１つの部分集合であることを要求し、Ｚ∈｛０，１，２，３，４，５，６｝であり、このときに、Ｙ＝Ｚであり、
やり方３：前記ＦＤＤセルに対して、前記ダウンリンクサブフレームが、１つの無線フレームにおけるダウンリンクサブフレームはアップリンク−ダウンリンク構成Ｘに含まれているダウンリンクサブフレームの１つの上位集合ではなくて、アップリンク−ダウンリンク構成Ｘに含まれているダウンリンクサブフレームの１つの部分集合でもない場合に、前記ダウンリンクサブフレームが、１つの無線フレームにおけるダウンリンクサブフレームがアップリンク−ダウンリンク構成Ｚに含まれているダウンリンクサブフレームの１つの部分集合であることを要求し、Ｚ∈｛０，１，２，３，４，５，６｝であり、このときに、Ｙ＝Ｍである、
装置。
【請求項１０】
前記第一タイミング合意モジュールは、さらに、
ネットワーク側デバイスが、アップリンク−ダウンリンク構成Ｙのタイミングに従って、前記ダウンリンクサブフレームでＰＤＳＣＨのダウンリンク許可およびＰＤＳＣＨを送信することを、相応的なダウンリンクサブフレームで送信しスケジューリングし、アップリンク−ダウンリンク構成Ｙのタイミングに従ってプライマリセルに対応するアップリンクサブフレームで前記ＦＤＤセルのＰＤＳＣＨのＨＡＲＱ情報を受信し、
ＵＥが、アップリンク−ダウンリンク構成Ｙのタイミングに従って相応的なダウンリンクサブフレームで前記ＰＤＳＣＨのダウンリンク許可およびＰＤＳＣＨを受信し、アップリンク−ダウンリンク構成Ｙのタイミングに従ってプライマリセルに対応するアップリンクサブフレームで前記ＦＤＤセルのＰＤＳＣＨのＨＡＲＱ情報を送信するように構成される
ことを特徴とする請求項９に記載の装置。
【請求項１１】
前記第一タイミング合意モジュールは、さらに、
前記やり方３のシナリオにおいて、Ｙ＝Ｍである場合に、アップリンク−ダウンリンク構成Ｍ∈｛０，１，２，３，４，５，６｝のアップリンクサブフレームがアップリンク−ダウンリンク構成Ｚのアップリンクサブフレームの部分集合であることを要求し、アップリンク−ダウンリンク構成Ｍのアップリンクサブフレームもアップリンク−ダウンリンク構成Ｘのアップリンクサブフレームの部分集合であることを同時に要求するように構成される
ことを特徴とする請求項９に記載の装置。
【請求項１２】
スペクトルアグリゲーションのデータ送信装置であって、前記装置は、少なくとも１つの時分割二重（ＴＤＤ）セルと少なくとも１つの周波数分割二重（ＦＤＤ）セルが含まれている複数のセルをユーザーデバイス（ＵＥ）のために構成するように構成される構成ユニットを含み、
アップリンクアグリゲーションが複数の異なるタイプのセルで実行される場合に、前記装置は、さらに、第三処理ユニットを含み、
前記第三処理ユニットは、各ＦＤＤセルにおいてＵＥのためにアップリンクサブフレームを構成し、前記ＵＥが、構成されたアップリンクサブフレームのみで物理アップリンク共有チャネル（ＰＵＳＣＨ）を送信でき、ネットワーク側デバイスが前記ＵＥのために、前記ＵＥが前記アップリンクサブフレームでＰＵＳＣＨを送信することに用いられるアップリンク許可を送信することに合意し、あるいは、ネットワーク側デバイスとＵＥが、ＵＥが１つまたは複数のダウンリンクサブフレームで自分へ送信されたアップリンク許可がなければ、前記ダウンリンクサブフレーム以外のサブフレームで自分へ送信されたアップリンク許可がある可能性があると認めることに合意するように構成され、
前記第三処理ユニットは、さらに第二タイミング合意ユニットを含み、
前記第二タイミング合意ユニットは、複数のセルにおける１つのＦＤＤセルに対して、ＵＥが前記アップリンクサブフレームでＰＵＳＣＨのＨＡＲＱタイミングを送信することに対して、ネットワーク側デバイスとＵＥが、アップリンクーダウンリンク構成Ｐ∈｛０，１，２，３，４，５，６｝におけるＰＵＳＣＨのＨＡＲＱタイミングを使用することに合意するように構成され、
前記第二タイミング合意ユニットは、さらに、下記のやり方１およびやり方２のいずれか一つのやり方によってＰを確定するように構成され、
やり方１：ＵＥが非クロスキャリアスケジューリングモードで動作する場合に、複数のセルにおける１つのＦＤＤセルに対して、前記アップリンクサブフレームが、１つの無線フレームにおけるアップリンクサブフレームはアップリンク−ダウンリンク構成Ｙ∈｛０，１，２，３，４，５，６｝に含まれているアップリンクサブフレームの１つの部分集合である場合に、Ｐ＝Ｙであり、
やり方２：ＵＥがクロスキャリアスケジューリングモードで動作する場合に、複数のセルにおける１つのＦＤＤセルに対して、前記アップリンクサブフレームで送信されたＰＵＳＣＨに対して、その対応する前記ＰＵＳＣＨをスケジューリングするためのＰＤＣＣＨまたはＰＨＩＣＨが前記１つのＴＤＤセルに存在し、前記ＴＤＤセルのアップリンク−ダウンリンク構成が構成Ｘ∈｛０，１，２，３，４，５，６｝であると仮定し、前記１つの無線フレームに構成されたアップリンクサブフレームがアップリンク−ダウンリンク構成Ｘに含まれているアップリンクサブフレームの１つの部分集合であり、かつアップリンク−ダウンリンク構成ＸのＰＵＳＣＨの往復時間ＲＴＴが１０ｍｓである場合に、Ｐ＝Ｘであり、
前記１つの無線フレームに構成されたアップリンクサブフレームがアップリンク−ダウンリンク構成Ｘに含まれているアップリンクサブフレームの１つの部分集合ではなく、かつアップリンク−ダウンリンク構成ＸのＰＵＳＣＨの往復時間ＲＴＴが１０ｍｓではない場合に、前記１つの無線フレームに構成されたアップリンクサブフレームがアップリンク−ダウンリンク構成Ｙ∈｛０，１，２，３，４，５，６｝におけるアップリンクサブフレームの１つの部分集合であることを要求し、ここで、
Ｘ＝０，Ｙ＝２または４または５である場合に、Ｐ＝０であり、
Ｘ＝６，Ｙ＝２または５である場合に、Ｐ＝１であり、
Ｘ＝０，Ｙ＝２または４または５あるいはＸ＝６，Ｙ＝２または５の以外のほかの場合に、Ｐ＝Ｙである、
装置。
【請求項１３】
前記第二タイミング合意ユニットは、さらに
ネットワーク側デバイスが、アップリンクーダウンリンク構成Ｐのタイミングに従って、前記ＵＥが前記アップリンクサブフレームでＰＵＳＣＨを送信することに用いられるアップリンク許可を、相応的なダウンリンクサブフレームで送信しスケジューリングし、ＵＥが、アップリンクーダウンリンク構成Ｐのタイミングに従って、相応的なダウンリンクサブフレームで、前記アップリンクサブフレームで送信する必要があるＰＵＳＣＨのアップリンク許可を検出するように構成される
ことを特徴とする請求項１２に記載の装置。
【発明の詳細な説明】
【技術分野】
【０００１】
本発明は、無線通信分野に関し、特にスペクトルアグリゲーションのデータ送信方法および装置に関する。
【背景技術】
【０００２】
ロングタームエボリューション（ＬＴＥ：Ｌｏｎｇ  Ｔｅｒｍ  Ｅｖｏｌｕｔｉｏｎ）システムとロングタームエボリューションアドバンスト（ＬＴＥ−Ａ、ＬＴＥ−Ａｄｖａｎｃｅｄ）システムにおける無線フレーム（ｒａｄｉｏ  ｆｒａｍｅ）には、周波数分割二重（ＦＤＤ：Ｆｒｅｑｕｅｎｃｙ  Ｄｉｖｉｓｉｏｎ  Ｄｕｐｌｅｘ）モードおよび時分割二重（ＴＤＤ：Ｔｉｍｅ  Ｄｉｖｉｓｉｏｎ  Ｄｕｐｌｅｘ）モードのフレーム構造が含まれる。図１は従来のＬＴＥ／ＬＴＥ−Ａ  ＦＤＤシステムにおけるフレーム構造を示す模式図である。図１に示すように、一つの１０ミリ秒（ｍｓ）の無線フレームは、長さ０．５ｍｓ、番号０〜１９の２０個のスロット（ｓｌｏｔ）から構成され、タイムスロット２ｉおよび２ｉ＋１が長さ１ｍｓのサブフレーム（ｓｕｂｆｒａｍｅ）ｉを構成する。
【０００３】
図２は従来のＬＴＥ／ＬＴＥ−Ａ  ＴＤＤシステムにおいてフレーム構造を示す模式図である。一つの１０ミリ秒（ｍｓ）の無線フレームは、長さ５ｍｓの二つのハーフフレーム（ｈａｌｆ  ｆｒａｍｅ）から構成され、１つのハーフフレームは、五つの長さ１ｍｓのサブフレームを含む。サブフレームｉは長さ０．５ｍｓの二つのタイムスロット２ｉと２ｉ＋１として定義される。その支持しているアップリンク−ダウンリンクの構成は、表１のように示される。
【０００４】
【表１】
0006312817.tif 000002
【０００５】
ここで、１つの無線フレームにおける各サブフレームに対して、「Ｄ」は、ダウンリンク伝送のための専用のサブフレームを表し、「Ｕ」は、アップリンク伝送のための専用のサブフレームを表し、「Ｓ」は、特別なサブフレームを表して、それはダウンリンクパイロットタイムスロット（ＤｗＰＴＳ、Ｄｏｗｎｌｉｎｋ  ＰｉｌｏＴ  Ｔｉｍｅ  Ｓｌｏｔ）、ガード期間（ＧＰ、Ｇｕａｒｄ  Ｐｅｒｉｏｄ）、アップリンクパイロットタイムスロット（ＵｐＰＴＳ、Ｕｐｌｉｎｋ  Ｐｉｌｏｔ  Ｔｉｍｅ  Ｓｌｏｔ）の三つの部分を含む。
【０００６】
上述した二つのフレーム構造において、ノーマルサイクリックプレフィックス（Ｎｏｒｍａｌ  Ｃｙｃｌｉｃ  Ｐｒｅｆｉｘ）に対して、１つのタイムスロットには七つの長さ６６．７マイクロ秒（ｕｓ）のシンボルが含まれ、一番目のシンボルのＣＰ長さが５．２１ｕｓであり、残った六つのシンボルのＣＰ長さが４．６９ｕｓである。拡張サイクリックプレフィックス（Ｅｘｔｅｎｄｅｄ  ＣＰ：Ｅｘｔｅｎｄｅｄ  Ｃｙｃｌｉｃ  Ｐｒｅｆｉｘ）に対して、１つのタイムスロットには六つのシンボルが含まれ、全てのシンボルのＣＰ長さがいずれも１６．６７ｕｓである。
【０００７】
ＬＴＥ／ＬＴＥ−Ａシステムにおいて、ハイブリッド自動再送要求（ＨＡＲＱ：Ｈｙｂｒｉｄ  Ａｕｔｏｍａｔｉｃ  Ｒｅｐｅａｔ  Ｒｅｑｕｅｓｔ）過程について、基地局または端末がデータを伝送する必要があるときに、基地局は、ダウンリンクシグナルを介してデータ割り当て送信時の必要な情報、例えばリソースの割り当て情報を送信する。送信側はこれらの情報に基づいてデータを送信し、再送するようにデータを自分のバッファーに同時に保存する。受信側はデータを受信した後に検出して、データが正しく受信された場合に肯定応答（ＡＣＫ：Ａｃｋｎｏｗｌｅｄｇｅｄ）を送信側へ送信し、送信側はＡＣＫを受信した後に今度の送信に使用されたバッファーをリセットして今度の送信を完了する。データが正しく受信されない場合には、否定応答（ＮＡＣＫ：Ｎｏｎ−ａｃｋｎｏｗｌｅｄｇｅｄ）を端末へ送信し、正しく受信されないパケットを受信側のバッファーに保存する。送信側は、ＮＡＣＫ情報を受信した後に自分のバッファーからデータを抽出して相応的なサブフレームおよび相応的な周波数領域位置で特定なパケットフォーマットを使用して再送する。受信側は、再送パケットを受信した後に、前に正しく受信されないパケットと合併してもう一度検出し、データが正しく受信されたあるいは送信回数が最大送信回数閾値を超えるまでに上述した過程を繰り返す。
【０００８】
ＬＴＥ／ＬＴＥ−Ａシステムにおいて、ダウンリンクＨＡＲＱにおいて物理ダウンリンク共有チャネル（ＰＤＳＣＨ：Ｐｈｙｓｉｃａｌ  Ｄｏｗｎｌｉｎｋ  Ｓｈａｒｅ  Ｃｈａｎｎｅｌ）スケジューリングのタイミングについて、下記のルールがある。即ち、ダウンリンクＨＡＲＱのスケジューリングに対して下記のルールがある。ＵＥは、サブフレームｎで物理ダウンリンク制御チャネル（ＰＤＣＣＨ：Ｐｈｙｓｉｃａｌ  Ｄｏｗｎｌｉｎｋ  ＣｏｎＴｒｏｌ  Ｃｈａｎｎｅｌ）を検出してＰＤＣＣＨの情報に基づいて現在のサブフレームのＰＤＳＣＨを受信し検出する。
【０００９】
ＬＴＥ／ＬＴＥ−Ａ  ＦＤＤシステムにおいて、ダウンリンクＨＡＲＱにおいてＰＤＳＣＨのＨＡＲＱ−ＡＣＫの送信について、即ちダウンリンクＨＡＲＱのタイミング関係について下記のルールがある。ＵＥは、サブフレームｎでＰＤＳＣＨ送信を検出し、またはダウンリンク半永続的スケジュールリングリリース（ＳＰＳ  ｒｅｌｅａｓｅ）のＰＤＣＣＨを指示し、サブフレームｎ＋４で対応するＨＡＲＱ−ＡＣＫ応答を送信する。ＬＴＥ／ＬＴＥ−Ａ  ＴＤＤシステムにおいて、ダウンリンクＨＡＲＱのタイミング関係に対して下記のルールがある。ＵＥは、サブフレームｎ−ｋにおいてＰＤＳＣＨ送信を検出し、またはダウンリンクＳＰＳ  ｒｅｌｅａｓｅのＰＤＣＣＨを指示し、アップリンクサブフレームｎで対応するＨＡＲＱ−ＡＣＫ応答を送信し、ここで、ｋはＫに属され、異なるアップリンク−ダウンリンクの構成におけるＫの値は表２のように示される。
【００１０】
【表２】
0006312817.tif 000003
【００１１】
ＬＴＥ／ＬＴＥ−Ａ  ＦＤＤシステムにおいて、物理アップリンク共有チャネル（ＰＵＳＣＨ：Ｐｈｙｓｉｃａｌ  Ｕｐｌｉｎｋ  Ｓｈａｒｅ  Ｃｈａｎｎｅｌ）のＨＡＲＱタイミングルールは、下記のとおりである。ＵＥがダウンリンクサブフレームｎにおいてＨＡＲＱ情報を検出したと仮定し、当該情報は、当該ＵＥがアップリンクサブフレームｎ−４で送信したＰＵＳＣＨに対応する。
【００１２】
ＬＴＥ／ＬＴＥ−Ａ  ＴＤＤシステムにおいて、ＰＵＳＣＨのＨＡＲＱタイミングルールは、下記のとおりである。
【００１３】
ＵＥがダウンリンクサブフレームｎにおいてＨＡＲＱ情報を検出したと仮定すると、当該情報がＰＤＣＣＨまたは物理ハイブリッド自動再送指示チャネル（ＰＨＩＣＨ、Ｐｈｙｓｉｃａｌ  ｈｙｂｒｉｄ−ＡＲＱ  ｉｎｄｉｃａＴｏｒ）を介して送信され、アップリンク−ダウンリンクの構成１〜６および構成０（Ｉ＿ＰＨＩＣＨパラメータ＝０）の場合に、当該情報は、当該ＵＥがアップリンクサブフレームｎ−ｋで送信したＰＵＳＣＨに対応し、異なるアップリンク−ダウンリンク構成およびサブフレームインデックスに対して、異なるアップリンク−ダウンリンク構成におけるｋの値は下記の表３のように示される。
【００１４】
【表３】
0006312817.tif 000004
【００１５】
アップリンク−ダウンリンク構成０（Ｉ＿ＰＨＩＣＨパラメータ＝０）の場合について、ＵＥがダウンリンクサブフレームｎにおいてＨＡＲＱ情報を検出したと仮定すると、当該情報は、当該ＵＥがアップリンクサブフレームｎ−６で送信したＰＵＳＣＨに対応する。ＬＴＥ／ＬＴＥ−Ａ  ＦＤＤシステムにおいて、アップリンクおよびダウンリンクサブフレームが1対1に対応しているので、ＰＤＳＣＨに一つの送信ブロックのみ含まれる場合、ＵＥは、１ビットのＡＣＫ／ＮＡＣＫ応答情報をフィードバックする必要があり、ＰＤＳＣＨに二つの送信ブロックが含まれる場合、ＵＥは、２ビットのＡＣＫ／ＮＡＣＫ応答情報をフィードバックする必要があり、ＵＥは、ＰＵＣＣＨフォーマット１ａ／１ｂを使用して１／２ビットのＡＣＫ／ＮＡＣＫ応答情報を送信する。ＬＴＥ／ＬＴＥ−Ａ  ＴＤＤシステムにおいて、アップリンクおよびダウンリンクサブフレームが1対1に対応していないので、つまり複数のダウンリンクサブフレームに対応するＡＣＫ／ＮＡＣＫ応答情報を、一つのアップリンクサブフレームのＰＵＣＣＨチャネルで送信する必要があるので、その中のアップリンクサブフレームに対応するダウンリンクサブフレームセットは、「バンドリングウインドウ（ｂｕｎｄｌｉｎｇ  ｗｉｎｄｏｗ）」を形成する。ＡＣＫ／ＮＡＣＫ応答情報の送信方法は下記の二つがある。一つは、バンドリング（ｂｕｎｄｌｉｎｇ）方法であり、当該方法のコアアイデアは、当該アップリンクサブフレームによりフィードバックされた各ダウンリンクサブフレームに対応する送信ブロックのＡＣＫ／ＮＡＣＫ応答情報に対して、論理と演算を行って、一つのダウンリンクサブフレームに二つの送信ブロックがあれば、ＵＥは、２ビットのＡＣＫ／ＮＡＣＫ応答情報をフィードバックする必要があり、各サブフレームに一つの送信ブロックのみあれば、ＵＥは、１ビットのＡＣＫ／ＮＡＣＫ応答情報をフィードバックする必要があり、ＵＥは、ＰＵＣＣＨフォーマット１ａ／１ｂを使用して１または２ビットのＡＣＫ／ＮＡＣＫ応答情報を送信する。もう一つは、多重化チャネル選択（ｍｕｌｔｉｐｌｅｘｉｎｇ  ｗｉｔｈ  ｃｈａｎｎｅｌ  ｓｅｌｅｃｔｉｏｎ）方法であり、当該方法のコアアイデアは、異なるＰＵＣＣＨチャネルと当該チャネルでの異なる変調シンボルを使用して当該アップリンクサブフレームによりフィードバックされたダウンリンクサブフレームの異なるフィードバック状態を表す。ダウンリンクサブフレームに複数の送信ブロックがあれば、ダウンリンクサブフレームの複数の送信ブロックがフィードバックしたＡＣＫ／ＮＡＣＫ応答情報に対して、論理的および空間的バンドリング（ｓｐａｔｉａｌ  ｂｕｎｄｌｉｎｇ）を行った後にチャネル選択を行い、ＵＥは、フォーマット１ｂ連合チャネル選択（ｆｏｒｍａｔ  １ｂ  ｗｉｔｈ  ｃｈａｎｎｅｌ  ｓｅｌｅｃｔｉｏｎ）を使用してＡＣＫ／ＮＡＣＫ応答情報を送信する。
【００１６】
ＬＴＥシステムと比べて、ＬＴＥ−Ａシステムの最も顕著な特徴は、ＬＴＥ−Ａシステムは、キャリアアグリゲーション技術を導入することである。換言すれば、ＬＴＥシステムの帯域幅は、より大きい帯域幅を取得するためにアグリゲーションされる。キャリアアグリゲーションが導入されたシステムにおいて、アグリゲーションを行うキャリアは、コンポーネントキャリア（ＣＣ：Ｃｏｍｐｏｎｅｎｔ  Ｃａｒｒｉｅｒ）と呼ばれ、一つのセル（ｃｅｌｌ）ともよばれる。一方では、プライマリコンポーネントキャリア／セル（ＰＣＣ／ＰＣｅｌｌ：Ｐｒｉｍａｒｙ  Ｃｏｍｐｏｎｅｎｔ  Ｃａｒｒｉｅｒ／Ｃｅｌｌ）およびセカンダリコンポーネントキャリア／セル（ＳＣＣ／ＳＣｅｌｌ：Ｓｅｃｏｎｄａｒｙ  Ｃｏｍｐｏｎｅｎｔ  Ｃａｒｒｉｅｒ／Ｃｅｌｌ）の概念も提案される。キャリアアグリゲーションを有するシステムは、少なくとも一つのプライマリセルとセカンダリセルを含み、その中のプライマリセルは、有効状態に常にあり、かつダウンリンクＨＡＲＱ情報がＰＣｅｌｌのみで送信されることを規定する。
【００１７】
ＬＴＥ−Ａキャリアアグリゲーションシステムにおいて、ＰＵＣＣＨでＨＡＲＱ−ＡＣＫ応答メッセージを送信する場合、二つの送信方法は、ＰＵＣＣＨフォーマット１ｂ連合チャネル選択（ｆｏｒｍａｔ  １ｂ  ｗｉｔｈ  ｃｈａｎｎｅｌ  ｓｅｌｅｃｔｉｏｎ）およびＰＵＣＣＨフォーマット３の二つの方法が定義されている。複数のサービングセルが構成されているＵＥに対して、ＵＥが最多二つのサービングセルのアグリゲーションをサポートすれば、前記ＵＥに複数のサービングセルが構成された場合、前記ＵＥは、ＰＵＣＣＨフォーマット１ｂ連合チャネル選択の方法を使用してＨＡＲＱ−ＡＣＫ応答情報を送信し、前記ＵＥが二つを超えるサービングセルのアグリゲーションをサポートすれば、前記ＵＥに複数のサービングセルが構成された場合、基地局は、上位レイヤのシグナリングを介して前記ＵＥがＰＵＣＣＨフォーマット１ｂ連合チャネル選択の方法またはＰＵＣＣＨフォーマット３を使用してＨＡＲＱ−ＡＣＫ応答情報を送信するかを構成する。
【００１８】
既存のキャリアアグリゲーション技術は、ＦＤＤセル又はＴＤＤセルのみに応用される。しかしながら、実際の応用において、事業者は、一般的にＦＤＤスペクトル及びＴＤＤスペクトルを同時に有するので、スペクトル効率及びユーザの利便性を向上させるために、ＦＤＤセル及びＴＤＤセルのアグリゲーションをサポートすることは非常に重要である。ここで、ＦＤＤセル及びＴＤＤセルがアグリゲーションした後、各セルのＰＤＣＣＨ／ＰＵＳＣＨがどのような方法を使用してＨＡＲＱタイミング送信するかは、ＦＤＤセル及びＴＤＤセルのアグリゲーションを効果的に実現するために重要な意義を有する。従来の技術における一般的な解決手段は、「二重モード」とも呼ばれる。即ち、ＴＤＤセルのＰＤＳＣＨ／ＰＵＳＣＨは、既存のＬＴＥ／ＬＴＥ−Ａ  ＴＤＤのＨＡＲＱタイミングに従って処理され、ＦＤＤセルのＰＤＳＣＨ／ＰＵＳＣＨは、既存のＬＴＥ／ＬＴＥ−Ａ  ＦＤＤのＨＡＲＱタイミングに従って処理される。しかしながら、このような解決手段は大きな欠点を有し、次のように具体的に説明する。
【００１９】
１．ネットワークがＵＥのために複数のセル（少なくとも一つのＴＤＤセルと少なくとも一つのＦＤＤセルを含む）でダウンリンクアグリゲーションを実行する場合、当該解決手段は、ＵＥが二つのセルで同時にＨＡＲＱフィードバックの能力を有することを必要とするが、これはＵＥの電力増幅効率とアップリンクカバレッジを低減させるとともに、ＵＥの実現コストを増加させる。
【００２０】
２．クロスキャリアスケジューリングの利点を十分にサポートして利用することができる。例えば、ＦＤＤセルでのＰＤＣＣＨ／ＰＵＳＣＨをサポートすることができず、ＴＤＤセルでの対応するＰＤＣＣＨをサポートすることができない。よって、ＦＤＤセルとＴＤＤセルがアグリゲーションした後に二つのセルのリソースを十分に利用するのに対して非常に不利であり、さらにＦＤＤセルとＴＤＤセルのアグリゲーションの性能の改良を制限する。
【００２１】
したがって、ＦＤＤとＴＤＤの資源を効果的に活用して既存の基地局と端末の実装に有利であるように、ＦＤＤセルとＴＤＤセルのアグリゲーションを効果的に実現することによって、上記の問題を効果的に解決することができる解決手段が要求されている。
【発明の概要】
【発明が解決しようとする課題】
【００２２】
これを鑑み、本発明の実施例は、ＦＤＤとＴＤＤが同時にアグリゲーションするときにデータを送信することで、完全にかつ効果的にＴＤＤとＦＤＤのリソースを利用するとともに、既存の基地局と端末の実装に有利であるように、スペクトルアグリゲーションのデータ送信方法および装置を提供する。
【課題を解決するための手段】
【００２３】
前記目的を達成するために、本発明実施例の技術的解決手段は下記のように実現される。
【００２４】
本発明の実施例に係るスペクトルアグリゲーションのデータ送信方法は、少なくとも１つの時分割二重（ＴＤＤ）セルと少なくとも１つの周波数分割二重（ＦＤＤ）セルが含まれている複数のセルをユーザーデバイス（ＵＥ）のために構成し、
ダウンリンクアグリゲーションが複数の異なるタイプのセルで実行される場合に、当該方法は、
前記複数のセルのダウンリンクハイブリッド自動再送要求（ＨＡＲＱ）情報を複数のセルにおける１つのＴＤＤセルに対応するアップリンクサブフレームで集中し送信し、前記ＴＤＤセルがプライマリセルであり、他のセルがセカンダリセルであり、プライマリセルのアップリンク−ダウンリンク構成が構成Ｘ，Ｘ∈｛０，１，２，３，４，５，６｝であると仮定することと、
各ＦＤＤセルでＵＥのためにダウンリンクサブフレームを構成し、ネットワークが、構成されたダウンリンクサブフレームのみで前記ＵＥに対する物理ダウンリンク制御チャネル（ＰＤＣＣＨ）／物理ダウンリンク共有チャネル（ＰＤＳＣＨ）を送信でき、ＵＥは、構成されたダウンリンクサブフレームで前記ＰＤＣＣＨ／ＰＤＳＣＨを検出し受信することに合意し、または、
ネットワークとＵＥは、ＵＥが１つまたは複数のダウンリンクサブフレームで自分へ送信されたＰＤＣＣＨ／ＰＤＳＣＨがなければ、前記ダウンリンクサブフレーム以外のサブフレームで自分へ送信されるＰＤＣＣＨ／ＰＤＳＣＨがある可能性があると認めることに合意することとを含む。
【００２５】
前記方法は、さらに、
複数のセルにおける１つのＦＤＤセルにおいて、前記ダウンリンクサブフレームで前記ＵＥへ送信されたＰＤＳＣＨのＨＡＲＱタイミングに対して、ネットワークとＵＥはアップリンク−ダウンリンク構成Ｙ∈｛０，１，２，３，４，５，６｝におけるＰＤＳＣＨのＨＡＲＱタイミングを使用することに合意することを含む。
【００２６】
上述したネットワークとＵＥは、アップリンク−ダウンリンク構成Ｙ∈｛０，１，２，３，４，５，６｝におけるＰＤＳＣＨのＨＡＲＱタイミングを使用することに合意することは、具体的に、
ネットワーク側において、ネットワークは、アップリンク−ダウンリンク構成Ｙのタイミングに従って、前記ダウンリンクサブフレームでＰＤＳＣＨのダウンリンク許可およびＰＤＳＣＨを送信することを相応的なダウンリンクサブフレームで送信しスケジューリングし、アップリンク−ダウンリンク構成Ｙのタイミングに従ってプライマリセルに対応するアップリンクサブフレームで前記ＦＤＤセルＰＤＳＣＨのＨＡＲＱ情報を受信することと、
ＵＥ側において、ＵＥは、アップリンク−ダウンリンク構成Ｙのタイミングに従って相応的なダウンリンクサブフレームで前記ＰＤＳＣＨのダウンリンク許可およびＰＤＳＣＨを受信し、アップリンク−ダウンリンク構成Ｙのタイミングに従ってプライマリセルに対応するアップリンクサブフレームで前記ＦＤＤセルＰＤＳＣＨのＨＡＲＱ情報を送信することとを含む。
【００２７】
前記Ｙは、下記のやり方１、やり方２、およびやり方３のいずれか一つのやり方で確定され、
やり方１：前記ＦＤＤセルに対して、前記ダウンリンクサブフレームが、１つの無線フレームにおけるダウンリンクサブフレームはアップリンク−ダウンリンク構成Ｘに含まれているダウンリンクサブフレームの１つの部分集合である場合、Ｙ＝Ｘであり、
やり方２：前記ＦＤＤセルに対して、前記ダウンリンクサブフレームが、１つの無線フレームにおけるダウンリンクサブフレームはアップリンク−ダウンリンク構成Ｘに含まれているダウンリンクサブフレームの１つの上位集合である場合、前記ダウンリンクサブフレームが１つの無線フレームにおけるダウンリンクサブフレームがアップリンク−ダウンリンク構成Ｚに含まれているダウンリンクサブフレームの１つの部分集合であることを要求し、Ｚ∈｛０，１，２，３，４，５，６｝であり、このときに、Ｙ＝Ｚであり、
やり方３：前記ＦＤＤセルに対して、前記ダウンリンクサブフレームが、１つの無線フレームにおけるダウンリンクサブフレームはアップリンク−ダウンリンク構成Ｘに含まれているダウンリンクサブフレームの１つの上位集合ではなくて、アップリンク−ダウンリンク構成Ｘに含まれているダウンリンクサブフレームの１つの部分集合でもない場合、前記ダウンリンクサブフレームが、１つの無線フレームにおけるダウンリンクサブフレームがアップリンク−ダウンリンク構成Ｚに含まれているダウンリンクサブフレームの１つの部分集合であることを要求し、Ｚ∈｛０，１，２，３，４，５，６｝、このときに、Ｙ＝Ｍである。
【００２８】
前記方法は、さらに、
前記やり方３のシナリオにおいて、Ｙ＝Ｍである場合、アップリンク−ダウンリンク構成Ｍ、Ｍ∈｛０，１，２，３，４，５，６｝のアップリンクサブフレームがアップリンク−ダウンリンク構成Ｚのアップリンクサブフレームの部分集合であることを要求し、アップリンク−ダウンリンク構成Ｍのアップリンクサブフレームもアップリンク−ダウンリンク構成Ｘのアップリンクサブフレームの部分集合であることを同時に要求することを含む。
【００２９】
前記方法は、さらに、
複数のＹ値が選択されることができる場合に、ネットワーク側デバイスはＵＥと合意して下記のいずれか一つのやり方のＹ値を使用することを含み、
前記Ｙを選択するやり方は、複数のＹ値のうち最小値、または、複数のＹ値のうち最大値、または、ＨＡＲＱ時間遅延最小に対応するアップリンク−ダウンリンク構成インデックスを使用することに合意することを含み、あるいは、
前記Ｙを選択するやり方は、合意条件の動的変化に基づいて異なる時刻に異なるアップリンク−ダウンリンク構成インデックスを使用することを含む。
【００３０】
前記ネットワークとＵＥが、アップリンク−ダウンリンク構成Ｙ∈｛０，１，２，３，４，５，６｝におけるＰＤＳＣＨのＨＡＲＱタイミングを使用するに合意することを通知するやり方は、
ネットワークが明示的シグナルを介してＵＥへ通知すること、および
ネットワークが暗黙的やり方でＵＥへ通知することのいずれか一つを含む。
【００３１】
スペクトルアグリゲーションのデータ送信方法であって、少なくとも１つの時分割二重（ＴＤＤ）セルと少なくとも１つの周波数分割二重（ＦＤＤ）セルが含まれている複数のセルをユーザーデバイス（ＵＥ）のために構成し、
アップリンクアグリゲーションが複数の異なるタイプのセルで実行される場合に、前記方法は、さらに、
各ＦＤＤセルにおいてＵＥのためにアップリンクサブフレームを構成して、前記ＵＥが、構成されたアップリンクサブフレームのみで物理アップリンク共有チャネル（ＰＵＳＣＨ）を送信でき、ネットワークが前記ＵＥのために、前記ＵＥが前記アップリンクサブフレームでＰＵＳＣＨを送信することに用いられるアップリンク許可を送信できることに合意し、または、
ネットワークとＵＥは、ＵＥが１つまたは複数のダウンリンクサブフレームで自分へ送信されたアップリンク許可がなければ、前記ダウンリンクサブフレーム以外のサブフレームで自分へ送信されたアップリンク許可がある可能性があると認めることに合意することを含む。
【００３２】
前記方法は、さらに、複数のセルにおける１つのＦＤＤセルに対して、ＵＥが前記アップリンクサブフレームでＰＵＳＣＨのＨＡＲＱタイミングを送信することに対して、ネットワークとＵＥは、アップリンク−ダウンリンク構成Ｐ∈｛０，１，２，３，４，５，６｝におけるＰＵＳＣＨのＨＡＲＱタイミングを使用することに合意することを含む。
【００３３】
前記ネットワークとＵＥは、アップリンク−ダウンリンク構成Ｐ∈｛０，１，２，３，４，５，６｝におけるＰＵＳＣＨのＨＡＲＱタイミングを使用することに合意することは、具体的に、
ネットワーク側において、ネットワークは、アップリンク−ダウンリンク構成Ｐのタイミングに従って、前記ＵＥが前記アップリンクサブフレームでＰＵＳＣＨを送信することに用いられるアップリンク許可を、相応的なダウンリンクサブフレームで送信しスケジューリングすることと、
ＵＥ側において、ＵＥは、アップリンク−ダウンリンク構成Ｐのタイミングに従って、相応的なダウンリンクサブフレームで、前記アップリンクサブフレームで送信する必要があるＰＵＳＣＨのアップリンク許可を検出することとを含む。
【００３４】
前記方法は、さらに、前記アップリンク許可は、物理ダウンリンク制御チャネル（ＰＤＣＣＨ）を介して送信されること、または、物理ハイブリッド自動再送指示チャネル（ＰＨＩＣＨ）を介して送信されることを含む。
【００３５】
前記Ｐは、下記のやり方１およびやり方２のいずれか一つのやり方によって確定され、
やり方１：ＵＥが非クロスキャリアスケジューリングモードで動作する場合に、複数のセルにおける１つのＦＤＤセルに対して、前記アップリンクサブフレームが１つの無線フレームにおけるアップリンクサブフレームはアップリンク−ダウンリンク構成Ｙ∈｛０，１，２，３，４，５，６｝に含まれているアップリンクサブフレームの１つの部分集合である場合に、Ｐ＝Ｙであり、
やり方２：ＵＥがクロスキャリアスケジューリングモードで動作する場合に、複数のセルにおける１つのＦＤＤセルに対して、前記アップリンクサブフレームで送信されたＰＵＳＣＨに対して、その対応する前記ＰＵＳＣＨをスケジューリングするためのＰＤＣＣＨまたはＰＨＩＣＨが前記１つのＴＤＤセルに存在し、前記ＴＤＤセルのアップリンク−ダウンリンク構成が構成Ｘ∈｛０，１，２，３，４，５，６｝であると仮定し、前記１つの無線フレームに構成されたアップリンクサブフレームがアップリンク−ダウンリンク構成Ｘに含まれているアップリンクサブフレームの１つの部分集合であり、かつアップリンク−ダウンリンク構成ＸのＰＵＳＣＨの往復時間ＲＴＴが１０ｍｓである場合に、Ｐ＝Ｘであり、
前記１つの無線フレームに構成されたアップリンクサブフレームがアップリンク−ダウンリンク構成Ｘに含まれているアップリンクサブフレームの１つの部分集合ではなく、かつアップリンク−ダウンリンク構成ＸのＰＵＳＣＨの往復時間ＲＴＴが１０ｍｓではない場合に、前記１つの無線フレームに構成されたアップリンクサブフレームがアップリンク−ダウンリンク構成Ｙ∈｛０，１，２，３，４，５，６｝におけるアップリンクサブフレームの１つの部分集合であることを要求し、ここで、
Ｘ＝０，Ｙ＝２または４または５である場合に、Ｐ＝０であり、
Ｘ＝６，Ｙ＝２または５である場合に、Ｐ＝１であり、
Ｘ＝０，Ｙ＝２または４または５あるいはＸ＝６，Ｙ＝２または５の以外のほかの場合に、Ｐ＝Ｙである。
【００３６】
前記方法は、さらに、複数のＰ値が選択されることができる場合に、ネットワーク側デバイスはＵＥと合意してそのなかの一つのＰ値を使用することを含み、
前記Ｐを選択するやり方は、複数のＰ値のうち最小値、または、複数のＰ値のうち最大値、または、ＨＡＲＱ時間遅延最小に対応するアップリンク−ダウンリンク構成インデックスを使用することに合意することを含み、あるいは、
前記Ｐを選択するやり方は、合意条件の動的変化に基づいて異なる時刻に異なるアップリンク−ダウンリンク構成におけるＰＵＳＣＨのＨＡＲＱタイミングを使用することを含む。
【００３７】
前記方法には、さらに、複数のＰ値が選択されることができる場合に、ネットワーク側がＵＥと合意して使用できるＰ値に対して、アップリンク−ダウンリンク構成Ｐにおいてダウンリンクサブフレームがアップリンク−ダウンリンク構成Ｘにおけるダウンリンクサブフレームの部分集合であることを要求し、
選択されることが可能であるＰ値が複数である場合に、ネットワーク側デバイスは、ＵＥと合意してそのなかの一つのＰ値の使用を可能にし、
前記Ｐを選択するやり方は、複数のＰ値のうち最小値、または、複数のＰ値のうち最大値、または、ＨＡＲＱ時間遅延最小に対応するアップリンク−ダウンリンク構成インデックスを使用することに合意することを含み、あるいは、
前記Ｐを選択するやり方は、合意条件の動的変化に基づいて異なる時刻に異なるアップリンク−ダウンリンク構成インデックスを使用することを含む。
【００３８】
前記ネットワークとＵＥが、アップリンク−ダウンリンク構成Ｐ∈｛０，１，２，３，４，５，６｝におけるＰＵＳＣＨのＨＡＲＱタイミングを使用するに合意することを通知するやり方は、
ネットワークが明示的シグナルを介してＵＥへ通知すること、および
ネットワーク側が暗黙的やり方でＵＥへ通知することのいずれか一つを含む。
【００３９】
スペクトルアグリゲーションのデータ送信装置であって、少なくとも１つの時分割二重（ＴＤＤ）セルと少なくとも１つの周波数分割二重（ＦＤＤ）セルが含まれている複数のセルをユーザーデバイス（ＵＥ）のために構成し、
ダウンリンクアグリゲーションが複数の異なるタイプのセルで実行される場合に、前記装置は、さらに、第一処理ユニットと第二処理ユニットを含み、
前記第一処理ユニットは、前記複数のセルのダウンリンクハイブリッド自動再送要求（ＨＡＲＱ）情報を複数のセルにおける１つのＴＤＤセルに対応するアップリンクサブフレームで集中し送信し、前記ＴＤＤセルがプライマリセルであり、他のセルがセカンダリセルであり、プライマリセルのアップリンク−ダウンリンク構成が構成Ｘであり、Ｘ∈｛０，１，２，３，４，５，６｝であるように構成され、
前記第二処理ユニットは、各ＦＤＤセルでＵＥのためにダウンリンクサブフレームを構成し、ネットワークが、構成されたダウンリンクサブフレームのみで前記ＵＥに対する物理ダウンリンク制御チャネル（ＰＤＣＣＨ）／物理ダウンリンク共有チャネル（ＰＤＳＣＨ）を送信でき、ＵＥは、構成されたダウンリンクサブフレームで前記ＰＤＣＣＨ／ＰＤＳＣＨを検出し受信できることに合意し、または、ネットワークとＵＥは、ＵＥが１つまたは複数のダウンリンクサブフレームで自分へ送信されたＰＤＣＣＨ／ＰＤＳＣＨがなければ、前記ダウンリンクサブフレーム以外のサブフレームで自分へ送信されるＰＤＣＣＨ／ＰＤＳＣＨがある可能性があると認めることに合意するように構成される。
【００４０】
前記第二処理ユニットは、さらに、第一タイミング合意モジュールを含み、
前記第一タイミング合意モジュールは、複数のセルにおける１つのＦＤＤセルに対して、前記ダウンリンクサブフレームで前記ＵＥへ送信されたＰＤＳＣＨのＨＡＲＱタイミングに対して、ネットワークとＵＥは、アップリンク−ダウンリンク構成Ｙ∈｛０，１，２，３，４，５，６｝におけるＰＤＳＣＨのＨＡＲＱタイミングを使用することに合意するように構成される。
【００４１】
前記第一タイミング合意モジュールは、さらに、
ネットワークは、アップリンク−ダウンリンク構成Ｙのタイミングに従って、前記ダウンリンクサブフレームでＰＤＳＣＨのダウンリンク許可およびＰＤＳＣＨを送信することを、相応的なダウンリンクサブフレームで送信しスケジューリングし、アップリンク−ダウンリンク構成Ｙのタイミングに従ってプライマリセルに対応するアップリンクサブフレームで前記ＦＤＤセルＰＤＳＣＨのＨＡＲＱ情報を受信し、
ＵＥは、アップリンク−ダウンリンク構成Ｙのタイミングに従って相応的なダウンリンクサブフレームで前記ＰＤＳＣＨのダウンリンク許可およびＰＤＳＣＨを受信し、アップリンク−ダウンリンク構成Ｙのタイミングに従ってプライマリセルに対応するアップリンクサブフレームで前記ＦＤＤセルＰＤＳＣＨのＨＡＲＱ情報を送信するように構成される。
【００４２】
前記第一タイミング合意モジュールは、さらに、下記のやり方１、やり方２およびやり方３のいずれか一つのやり方で前記Ｙを確定するように構成され、
やり方１：前記ＦＤＤセルに対して、前記アップリンクサブフレームが１つの無線フレームにおけるダウンリンクサブフレームはアップリンク−ダウンリンク構成Ｘに含まれているダウンリンクサブフレームの１つの部分集合である場合に、Ｙ＝Ｘであり、
やり方２：前記ＦＤＤセルに対して、前記ダウンリンクサブフレームが、１つの無線フレームにおけるダウンリンクサブフレームはアップリンク−ダウンリンク構成Ｘに含まれているダウンリンクサブフレームの１つの上位集合である場合に、前記ダウンリンクサブフレームが１つの無線フレームにおけるダウンリンクサブフレームがアップリンク−ダウンリンク構成Ｚに含まれているダウンリンクサブフレームの１つの部分集合であることを要求し、Ｚ∈｛０，１，２，３，４，５，６｝であり、このときに、Ｙ＝Ｚであり、
やり方３：前記ＦＤＤセルに対して、前記ダウンリンクサブフレームが、１つの無線フレームにおけるダウンリンクサブフレームはアップリンク−ダウンリンク構成Ｘに含まれているダウンリンクサブフレームの１つの上位集合ではなくて、アップリンク−ダウンリンク構成Ｘに含まれているダウンリンクサブフレームの１つの部分集合でもない場合に、前記ダウンリンクサブフレームが、１つの無線フレームにおけるダウンリンクサブフレームがアップリンク−ダウンリンク構成Ｚに含まれているダウンリンクサブフレームの１つの部分集合であることを要求し、Ｚ∈｛０，１，２，３，４，５，６｝であり、このときに、Ｙ＝Ｍである。
【００４３】
前記第一タイミング合意モジュールは、さらに、
前記やり方３のシナリオにおいて、Ｙ＝Ｍである場合に、アップリンク−ダウンリンク構成Ｍ∈｛０，１，２，３，４，５，６｝のアップリンクサブフレームがアップリンク−ダウンリンク構成Ｚのアップリンクサブフレームの部分集合であることを要求し、アップリンク−ダウンリンク構成Ｍのアップリンクサブフレームもアップリンク−ダウンリンク構成Ｘのアップリンクサブフレームの部分集合であることを同時に要求するように構成される。
【００４４】
スペクトルアグリゲーションのデータ送信装置であって、前記装置は、少なくとも１つの時分割二重（ＴＤＤ）セルと少なくとも１つの周波数分割二重（ＦＤＤ）セルが含まれている複数のセルをユーザーデバイス（ＵＥ）のために構成するように構成される構成ユニットを含み、
アップリンクアグリゲーションが複数の異なるタイプのセルで実行される場合に、前記装置は、さらに、第三処理ユニットを含み、
前記第三処理ユニットは、各ＦＤＤセルにおいてＵＥのためにアップリンクサブフレームを構成し、前記ＵＥが、構成されたアップリンクサブフレームのみで物理アップリンク共有チャネル（ＰＵＳＣＨ）を送信でき、ネットワークが前記ＵＥのために、前記ＵＥが前記アップリンクサブフレームでＰＵＳＣＨを送信することに用いられるアップリンク許可を送信することに合意し、あるいは、ネットワークとＵＥは、ＵＥが１つまたは複数のダウンリンクサブフレームで自分へ送信されたアップリンク許可がなければ、前記ダウンリンクサブフレーム以外のサブフレームで自分へ送信されたアップリンク許可がある可能性があると認めることに合意するように構成される。
【００４５】
前記第三処理ユニットは、さらに第二タイミング合意ユニットを含み、
前記第二タイミング合意ユニットは、複数のセルにおける１つのＦＤＤセルに対して、ＵＥが前記アップリンクサブフレームでＰＵＳＣＨのＨＡＲＱタイミングを送信することに対して、ネットワークとＵＥは、アップリンクーダウンリンク構成Ｐ∈｛０，１，２，３，４，５，６｝におけるＰＵＳＣＨのＨＡＲＱタイミングを使用することに合意するように構成される。
【００４６】
前記第二タイミング合意ユニットは、さらに
ネットワークは、アップリンクーダウンリンク構成Ｐのタイミングに従って、前記ＵＥが前記アップリンクサブフレームでＰＵＳＣＨを送信することに用いられるアップリンク許可を、相応的なダウンリンクサブフレームで送信しスケジューリングし、ＵＥは、アップリンクーダウンリンク構成Ｐのタイミングに従って、相応的なダウンリンクサブフレームで、前記アップリンクサブフレーム送信する必要があるＰＵＳＣＨのアップリンク許可を検出するように構成される。
【００４７】
前記第二タイミング合意ユニットは、さらに、下記のやり方１およびやり方２のいずれか一つのやり方によってＰを確定するように構成され、
やり方１：ＵＥが非クロスキャリアスケジューリングモードで動作する場合に、複数のセルにおける１つのＦＤＤセルに対して、前記アップリンクサブフレームが１つの無線フレームにおけるアップリンクサブフレームはアップリンク−ダウンリンク構成Ｙ∈｛０，１，２，３，４，５，６｝に含まれているアップリンクサブフレームの１つの部分集合である場合に、Ｐ＝Ｙであり、
やり方２：ＵＥがクロスキャリアスケジューリングモードで動作する場合に、複数のセルにおける１つのＦＤＤセルに対して、前記アップリンクサブフレームで送信されたＰＵＳＣＨに対して、その対応する前記ＰＵＳＣＨをスケジューリングするためのＰＤＣＣＨまたはＰＨＩＣＨが前記１つのＴＤＤセルに存在し、前記ＴＤＤセルのアップリンク−ダウンリンク構成が構成Ｘ∈｛０，１，２，３，４，５，６｝であると仮定し、前記１つの無線フレームに構成されたアップリンクサブフレームがアップリンク−ダウンリンク構成Ｘに含まれているアップリンクサブフレームの１つの部分集合であり、かつアップリンク−ダウンリンク構成ＸのＰＵＳＣＨの往復時間ＲＴＴが１０ｍｓである場合に、Ｐ＝Ｘであり、
前記１つの無線フレームに構成されたアップリンクサブフレームがアップリンク−ダウンリンク構成Ｘに含まれているアップリンクサブフレームの１つの部分集合ではなく、かつアップリンク−ダウンリンク構成ＸのＰＵＳＣＨの往復時間ＲＴＴが１０ｍｓではない場合に、前記１つの無線フレームに構成されたアップリンクサブフレームがアップリンク−ダウンリンク構成Ｙ∈｛０，１，２，３，４，５，６｝におけるアップリンクサブフレームの１つの部分集合であることを要求し、ここで、
Ｘ＝０，Ｙ＝２または４または５である場合に、Ｐ＝０であり、
Ｘ＝６，Ｙ＝２または５である場合に、Ｐ＝１であり、
Ｘ＝０，Ｙ＝２または４または５あるいはＸ＝６，Ｙ＝２または５の以外のほかの場合に、Ｐ＝Ｙである。
【００４８】
前記第三処理ユニット、前記第二タイミング合意ユニットは処理を行う場合に、中央プロセッサ（ＣＰＵ：Ｃｅｎｔｒａｌ  Ｐｒｏｃｅｓｓｉｎｇ  Ｕｎｉｔ）、デジタル信号プロセッサ（ＤＳＰ：Ｄｉｇｉｔａｌ  Ｓｉｇｎａｌ  Ｐｒｏｃｅｓｓｏｒ）またはフィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）により実現されることができる。
【００４９】
本発明の実施例に係る方法は、少なくとも１つの時分割二重（ＴＤＤ）セルと少なくとも１つの周波数分割二重（ＦＤＤ）セルが含まれている複数のセルをユーザーデバイス（ＵＥ）のために構成し、各セルは時間方面に時間同期関係を満足し、ダウンリンクアグリゲーションが複数の異なるタイプのセルで実行される場合に、前記複数のセルのダウンリンクハイブリッド自動再送要求（ＨＡＲＱ）情報を複数のセルにおける１つのＴＤＤセルに対応するアップリンクサブフレームで集中し送信し、前記ＴＤＤセルがプライマリセルであり、他のセルがセカンダリセルであり、プライマリセルのアップリンク−ダウンリンク構成が構成Ｘであり、Ｘ∈｛０，１，２，３，４，５，６｝であると仮定し、各ＦＤＤセルでＵＥのためにダウンリンクサブフレームを構成して、ネットワークが、構成されたダウンリンクサブフレームのみで前記ＵＥに対する物理ダウンリンク制御チャネル（ＰＤＣＣＨ）／物理ダウンリンク共有チャネル（ＰＤＳＣＨ）を送信でき、ＵＥが、構成されたダウンリンクサブフレームで前記ＰＤＣＣＨ／ＰＤＳＣＨを検出し受信できるようにすることを含む。本発明によれば、サブフレームに対する構成に基づいて、ＴＤＤとＦＤＤが同時にアグリゲーションされるときにデータを送信して、十分に効率的にＴＤＤとＦＤＤリソースを利用でき、既存の基地局と端末の実装にも有利である。
【図面の簡単な説明】
【００５０】
【図１】従来技術のＦＤＤシステムにおけるフレーム構造を示す模式図である。
【図２】従来技術のＴＤＤシステムにおけるフレーム構造を示す模式図である。
【図３】本発明によるダウンリンクスペクトルアグリゲーション送信を示す模式図である。
【図４】本発明によるアップリンクスペクトルアグリゲーション送信を示す模式図である。
【図５】本発明の実施例によるＴＤＤシステムとＦＤＤシステムアグリゲーションのデータ送信を示す模式図である。
【図６】本発明の実施例によるＴＤＤシステムとＦＤＤシステムアグリゲーションのデータ送信を示す他の模式図である。
【図７】本発明の実施例によるＴＤＤシステムとＦＤＤシステムアグリゲーションのデータ送信を示す他の模式図である。
【図８】本発明の実施例によるＴＤＤシステムとＦＤＤシステムアグリゲーションのデータ送信を示す他の模式図である。
【発明を実施するための形態】
【００５１】
以下、添付された図面を結び付けて技術的解決手段をさらに詳しく説明する。
【００５２】
本発明の下記実施例は、ＬＴＥ／ＬＴＥ−Ａ  ＴＤＤとＬＴＥ／ＬＴＥ−Ａ  ＦＤＤシステムを例として説明する。ここで、説明する必要があるのは下記の通りである。１）本発明実施例に係るアップリンク−ダウンリンク構成は、ＬＴＥ／ＬＴＥ−Ａ  ＴＤＤシステムにより支持される七つの種類のアップリンク−ダウンリンク構成であり、この七つの種類の構成インデックスが０、１、２、…、６である。具体的に、本発明実施例において、プライマリセルのアップリンク−ダウンリンク構成も上記の七つの種類の構成のうちの１つであり、即ち、本文における「プライマリセルのアップリンク−ダウンリンク構成は構成Ｘである」とは、実際的に、プライマリセルのアップリンク−ダウンリンク構成がＬＴＥ／ＬＴＥ−Ａ  ＴＤＤシステムのアップリンク−ダウンリンク構成Ｘであることを意味し、Ｘ∈｛０、１、２、３、４、５、６｝である。２）本発明実施例に係る複数のセルは、ＬＴＥ／ＬＴＥ−Ａ  ＴＤＤシステムにより支持されるセルであり、即ち、本文における「複数のセルには少なくとも１つのＴＤＤセルと少なくとも１つのＦＤＤセルが含まれる」とは、実際的に、複数のセルには少なくとも１つのＬＴＥ／ＬＴＥ−Ａ  ＴＤＤセルおよび少なくとも１つのＬＴＥ／ＬＴＥ−Ａ  ＦＤＤセルが含まれることを意味する。
【００５３】
なお、本文に係るパラメータＸ、Ｙ、Ｐ、Ｚは、いずれもＬＴＥ／ＬＴＥ−Ａ  ＴＤＤシステムにより支持されるアップリンク−ダウンリンク構成インデックスを意味し、合意情報Ｘ、Ｙ、Ｐ、Ｚになってもよい。しかしながら、本文は、ＬＴＥ／ＬＴＥ−Ａ  ＴＤＤシステムを限定しなくて、他の通信システムにも適用でき、ここでは例として説明する。
【００５４】
本発明実施例に係るスペクトルアグリゲーションのデータ送信方法は、ＴＤＤシステムおよびＦＤＤシステムのスペクトルアグリゲーションのデータ送信方法であり、主に下記の内容を含む。
【００５５】
ダウンリンクアグリゲーションが複数のセル（少なくとも１つのＴＤＤセルおよび少なくとも１つのＦＤＤセル）で実行されるシナリオにおいて、図３に示すように、当該方法は、下記のステップを含む。
【００５６】
ステップ１０１において、ＵＥのためにＴＤＤセルとＦＤＤセルを構成する。
【００５７】
ここで、本発明の目的を達成するために、一般的に、ここで、ネットワークはＵＥのために少なくとも１つのＴＤＤセルと少なくとも１つのＦＤＤセルを構成すると仮定し、各セルが時間方面において時間同期関係を満足する。
【００５８】
ステップ１０２において、前記複数のセルのダウンリンクＨＡＲＱ情報をそのなかの一つのＴＤＤセルに対応するアップリンクサブフレームで集中し送信する。
【００５９】
ここで、当該ＴＤＤセルはプライマリセルと呼ばれ、他のセルはセカンダリセルと呼ばれ、プライマリセルのアップリンク−ダウンリンク構成が構成Ｘと仮定し、Ｘ∈｛０、１、２、３、４、５、６｝である。
【００６０】
ステップ１０３において、各ＦＤＤセルにおいてＵＥのために若干のダウンリンクサブフレームを構成して、ネットワークが、構成されたダウンリンクサブフレームのみで、前記ＵＥに対するＰＤＣＣＨ／ＰＤＳＣＨを送信でき、ＵＥが、構成されたダウンリンクサブフレームで前記ＰＤＣＣＨ／ＰＤＳＣＨを検出し受信できるようにする。または同等に、ネットワークとＵＥは、ＵＥが、１つまたは複数のダウンリンクサブフレームで自分へ送信されたＰＤＣＣＨ／ＰＤＳＣＨがなければ、上述したサブフレーム以外で自分へ送信されたＰＤＣＣＨ／ＰＤＳＣＨがある可能性があると認めることができることに合意する。
【００６１】
ここで、ＵＥのために若干のダウンリンクサブフレームを構成することは、、ネットワークがこれらのサブフレームのみで、当該ＵＥに対するＰＤＣＣＨ／ＰＤＳＣＨを送信でき、ＵＥがこれらの構成されたサブフレームで前記ＰＤＣＣＨ／ＰＤＳＣＨを検出し受信することを意味する。
【００６２】
ここで、説明すべきことは、前記ステップ１０２とステップ１０３が必然的な前後関係がなくて、両者が任意に組合を互いに交換することができる。
【００６３】
さらに、上述したある１つのＦＤＤセルに対して、上述したサブフレームで当該ＵＥへ送信されたＰＤＳＣＨのＨＡＲＱタイミングに対して、ネットワークとＵＥは、アップリンク−ダウンリンク構成Ｙ∈｛０、１、２、３、４、５、６｝におけるＰＤＳＣＨのＨＡＲＱタイミングを使用することを合意する。即ち、ネットワーク側において、ネットワークは、アップリンク−ダウンリンク構成Ｙのタイミングに従って、相応的なダウンリンクサブフレームで、上述したダウンリンクサブフレームで送信されたＰＤＳＣＨのダウンリンク許可およびＰＤＳＣＨを送信しスケジュールリングし、アップリンク−ダウンリンク構成Ｙのタイミングに従って、プライマリセルの相応的なサブフレームで上述したＦＤＤセルＰＤＳＣＨのＨＡＲＱ情報を受信し、ＵＥ側において、ＵＥは、アップリンク−ダウンリンク構成Ｙのタイミングに従って、相応的なダウンリンクサブフレームで上述したダウンリンク許可およびＰＤＳＣＨを受信し、アップリンク−ダウンリンク構成Ｙのタイミングに従って、プライマリセル相応的なサブフレームでＦＤＤセルＰＤＳＣＨのＨＡＲＱ情報を送信する。
【００６４】
前記合意情報Ｙは、下記のやり方によって確定されることができる。
【００６５】
上述したＦＤＤセルに対して、前記ダウンリンクサブフレームは１つの無線フレームのダウンリンクサブフレームがアップリンク−ダウンリンク構成Ｘに含まれているダウンリンクサブフレームの１つの部分集合である場合に、Ｙ＝Ｘである。
【００６６】
上述したＦＤＤセルに対して、前記ダウンリンクサブフレームが１つの無線フレームのダウンリンクサブフレームは、アップリンク−ダウンリンク構成Ｘに含まれているダウンリンクサブフレームの１つの上位集合である場合に、前記ダウンリンクサブフレームが１つの無線フレームのダウンリンクサブフレームはアップリンク−ダウンリンク構成Ｚに含まれているダウンリンクサブフレームの１つの部分集合であることを要求し、Ｚ∈｛０、１、２、３、４、５、６｝であり、このときに、Ｙ＝Ｚである。
【００６７】
上述したＦＤＤセルに対して、前記ダウンリンクサブフレームが１つの無線フレームのダウンリンクサブフレームは、アップリンク−ダウンリンク構成Ｘに含まれているダウンリンクサブフレームの１つの上位集合ではなくて、アップリンク−ダウンリンク構成Ｘに含まれているダウンリンクサブフレームの１つの部分集合でもない場合に、前記ダウンリンクサブフレームが１つの無線フレームのダウンリンクサブフレームはアップリンク−ダウンリンクに対してＺに含まれているダウンリンクサブフレームを構成する１つの部分集合であることを要求し、Ｚ∈｛０、１、２、３、４、５、６｝であり、このときに、Ｙ＝Ｍである。
【００６８】
ここで、アップリンク−ダウンリンク構成Ｍ、すなわちＭ∈｛０、１、２、３、４、５、６｝のアップリンクサブフレームがアップリンク−ダウンリンク構成Ｚのアップリンクサブフレームの部分集合であることを要求し、同時に、アップリンク−ダウンリンク構成Ｍのアップリンクサブフレームもアップリンク−ダウンリンク構成Ｘのアップリンクサブフレームの部分集合であることを要求する。
【００６９】
選択可能なＹ値が複数である場合に、ネットワーク側デバイスとＵＥはそのなかの１つのＹ値を使用することに合意できる。例えば、この複数のＹ値のうち最小値、または、複数のＹ値のうち最大値、または、ＨＡＲＱ時間遅延最小に対応するアップリンク−ダウンリンク構成インデックス、または、前記構成サブフレームにおいてスケジュールリング可能な一番多いサブフレーム数に対応するアップリンク−ダウンリンク構成インデックスを使用できることに合意してもよく、合意条件の動的に変化に基づいて、異なる時刻に異なるアップリンク−ダウンリンク構成インデックスなどを使用できることに合意ししてもよい。
【００７０】
ネットワークとＵＥが、アップリンク−ダウンリンク構成Ｙ∈｛０、１、２、３、４、５、６｝におけるＰＤＳＣＨのＨＡＲＱタイミングを使用することに合意する方法について、複数の種類がある。例えば、ハイレイヤシグナル、フィジカルレイヤシグナルなどの明示的シグナルのやり方でＵＥへ通知してもよく、暗黙的やり方でＵＥへ通知してもよい。例えば、前記サブフレーム構成と使用されたＨＡＲＱタイミングの間にあるマッチング関係を確立し、ネットワークとＵＥは同じマッチング関係を使用することに合意し、このように、ＵＥは、前記サブフレーム構成情報を取得した後に、使用すべきなＨＡＲＱタイミング情報も同時に取得する。
【００７１】
上述したＴＤＤセルに対して、ダウンリンクサブフレームで当該ＵＥへ送信されたＰＤＳＣＨに対して、そのＨＡＲＱタイミングはＬＴＥ／ＬＴＥ−Ａｄｖａｎｃｅｄ  ＴＤＤシステムのタイミングを使用し、ここで詳細な説明を省略する。
【００７２】
アップリンクアグリゲーションが複数のセル（少なくとも１つのＴＤＤセルと少なくとも１つのＦＤＤセルが含まれる）で実行されるシナリオにおいて、アップリンクアグリゲーションシナリオに対して、ＨＡＲＱ情報は実際的にＰＤＣＣＨまたはＰＨＩＣＨで送信される。以下、その送信されたタイミング関係およびセルに対して具体的に説明する。
【００７３】
図４に示すように、当該方法には、ステップ２０１、ステップ２０２が含まれる。
【００７４】
ステップ２０１において、ＵＥのためにＴＤＤセルとＦＤＤセルを構成する。
【００７５】
ここで、本発明の目的を達成するために、一般的に、ここでネットワークはＵＥのために少なくとも１つのＴＤＤセルと少なくとも１つのＦＤＤセルを構成すると仮定し、各セルが時間方面において時間同期関係を満足する。
【００７６】
ステップ２０２において、各ＦＤＤセルにおいてＵＥのために若干のアップリンクサブフレームを構成して、前記ＵＥが、構成されたアップリンクサブフレームのみで物理アップリンク共有チャネル（ＰＵＳＣＨ）を送信でき、ネットワークが前記ＵＥのために、前記ＵＥが前記アップリンクサブフレームでＰＵＳＣＨを送信することに用いられるアップリンク許可を送信できるようにする。
【００７７】
ここで、ＵＥのために若干のアップリンクサブフレームを構成することは、前記サブフレームのみで、ＵＥがＰＵＳＣＨを送信でき、相応的に、ネットワークが当該ＵＥのために、前記ＵＥが前記サブフレームでＰＵＳＣＨを送信することに用いられるアップリンク許可を送信できることを意味する。または同等に、ネットワークとＵＥは、ＵＥが１つまたは複数のダウンリンクサブフレームで自分へ送信されたアップリンク許可がなければ、前記サブフレーム以外には自分へ送信されたアップリンク許可がある可能性があると認めることができることを合意する。ＵＥは、前記サブフレーム以外でアップリンク許可を検出した後に、アップリンク許可に対応するアップリンクサブフレームでＰＵＳＣＨを送信すべき、ネットワークは前記アップリンクサブフレームでＰＵＳＣＨを受信する。
【００７８】
さらに、上述したある１つのＦＤＤセルに対して、ＵＥが前記サブフレームでＰＵＳＣＨのＨＡＲＱタイミングを送信することに対して、ネットワークとＵＥは、アップリンク−ダウンリンク構成Ｐ∈｛０、１、２、３、４、５、６｝におけるＰＵＳＣＨのＨＡＲＱタイミングを使用することに合意する。即ち、ネットワーク側において、ネットワークは、アップリンク−ダウンリンク構成Ｐのタイミングに従って、相応的なダウンリンクサブフレームで、前記アップリンクサブフレームで送信されたＰＵＳＣＨのアップリンク許可を送信しスケジュールし、ＵＥ側において、ＵＥが、アップリンク−ダウンリンク構成Ｐのタイミングに従って、相応的なダウンリンクサブフレームで、前記サブフレームで送信する必要があるＰＵＳＣＨのアップリンク許可を検出する。
【００７９】
前記アップリンク許可は、ＰＤＣＣＨを介して送信されてもよく、ＰＨＩＣＨを介して送信されてもよい。
【００８０】
前記合意情報Ｐは下記のやり方を介して確定されることができる。
【００８１】
ＵＥが非クロスキャリアスケジューリングモードで動作する場合に、即ち、前記サブフレームに対応するＰＵＳＣＨおよび当該ＰＵＳＣＨをスケジュールするＰＤＣＣＨまたはＰＨＩＣＨ（Ｐｈｙｓｉｃａｌ  ｈｙｂｒｉｄ−ＡＲＱ  ｉｎｄｉｃａｔｏｒ  ｃｈａｎｎｅｌ）が同じセルにある場合、上述したある１つのＦＤＤセルに対して、前記アップリンクサブフレームが１つの無線フレームにおけるアップリンクサブフレームがアップリンク−ダウンリンク構成Ｙ、すなわちＹ∈｛０、１、２、３、４、５、６｝に含まれているアップリンクサブフレームの１つの部分集合であるときに、Ｐ＝Ｙ。
【００８２】
ＵＥがクロスキャリアスケジューリングモードで動作する場合に、即ち、前記アップリンクサブフレームで送信されたＰＵＳＣＨに対して、その対応する当該ＰＵＳＣＨをスケジュールするためのＰＤＣＣＨまたはＰＨＩＣＨが上述した１つのＴＤＤ  ＣＥＬＬにある場合、当該ＴＤＤセルのアップリンク−ダウンリンク構成が構成Ｘ、すなわちＸ∈｛０、１、２、３、４、５、６｝と仮定する。このときに、
上述した１つの無線フレームに構成されたアップリンクサブフレームが、アップリンク−ダウンリンク構成Ｘに含まれているアップリンクサブフレームの１つの部分集合であってかつアップリンク−ダウンリンク構成ＸのＰＵＳＣＨの往復時間（ＲＴＴ、ｒｏｕｎｄ−ｔｒｉｐ  ｔｉｍｅ）は１０ＭＳであるときに、Ｐ＝Ｘであり、
前記サブフレームが１つの無線フレームにおけるアップリンクサブフレームがアップリンク−ダウンリンク構成Ｘに含まれているアップリンクサブフレームの１つの部分集合ではなく、またはアップリンク−ダウンリンク構成ＸのＰＵＳＣＨのＲＴＴが１０ＭＳではないときに、前記サブフレームが１つの無線フレームにおけるアップリンクサブフレームがアップリンク−ダウンリンク構成Ｙ、すなわちＹ∈｛０、１、２、３、４、５、６｝におけるアップリンクサブフレームの１つの部分集合であることを要求し、このときに、
Ｘ＝０、Ｙ＝２または４または５場合に、Ｐ＝０であり、
Ｘ＝６、Ｙ＝２または５場合に、Ｐ＝１であり、
他の場合に、Ｐ＝Ｙである。
【００８３】
ネットワーク側デバイスは、ＵＥと合意してそのなかの１つのＰ値を使用する。例えば、複数のＰ値においてＰ値のうち最小値、または複数のＰ値のうち最大値、またはＨＡＲＱ時間遅延最小に対応するアップリンク−ダウンリンク構成インデックス、または前記構成サブフレームにおいてスケジュール可能な一番多いサブフレーム数に対応するアップリンク−ダウンリンク構成インデックスを使用することに合意する。
【００８４】
または、合意条件動的に変化に基づいて、異なる時刻に異なるアップリンク−ダウンリンク構成インデックスを使用してもよい。
【００８５】
選択可能なＰ値が複数である場合に、ネットワーク側デバイスがＵＥと合意して使用したＰ値に対して、アップリンク−ダウンリンク構成Ｐにおいてダウンリンクサブフレームがアップリンク−ダウンリンク構成Ｘにおけるダウンリンクサブフレームの部分集合であることを要求する。このときに、複数のＰ値がある場合に、例えば「この複数のＰ値のうち最小のＰ値に対応するアップリンク−ダウンリンク構成におけるＰＵＳＣＨのＨＡＲＱタイミング」を使用して処理してもよい。
【００８６】
ネットワークとＵＥがアップリンク−ダウンリンク構成Ｐ∈｛０、１、２、３、４、５、６｝においてＰＵＳＣＨのＨＡＲＱタイミングを合意して使用する方法は複数の種類がある。例えば、ハイレイヤシグナル、フィジカルレイヤシグナルなど明示的シグナルのやり方でＵＥへ通知してもよく、暗黙的やり方でＵＥへ通知してもよい。例えば、前記サブフレーム構成と使用されたＨＡＲＱタイミングの間にあるマッチング関係が確立され、ネットワークとＵＥは同じマッチング関係を使用することに合意し、このように、ＵＥは、前記サブフレーム構成情報を取得した後に、その使用すべきＨＡＲＱタイミング情報も同時に取得する。
【００８７】
上述したＴＤＤセルにに対して、ＵＥがアップリンクサブフレームで送信されたＰＵＳＣＨに対して、そのＨＡＲＱタイミングは従来のＬＴＥ／ＬＴＥ−Ａｄｖａｎｃｅｄ  ＴＤＤシステムのＨＡＲＱタイミングを使用し、ここで詳細な説明を省略する。
【００８８】
上述したサブフレーム構成（ダウンリンクサブフレーム構成とアップリンクサブフレーム構成が含まれる）は、各無線フレームで同じでもよく、異なってもよい。
【００８９】
本発明に係るＴＤＤシステムとＦＤＤシステムのスペクトルアグリゲーションのデータ送信方法によれば、ＦＤＤセルとＴＤＤセルのアグリゲーションが効率的に実現でき、十分にクロスキャリアスケジューリングをサポートし利用して、従来のＬＴＥ−Ａｄｖａｎｃｅｄ  ＦＤＤまたはＴＤＤセルのアグリゲーション利点を保持する同時に、さらに、実装が簡単であり、ネットワークと端末の実装コストを低下させる利点を有する。ここで、説明すべきことは、本発明において、異なるＵＥのサブフレーム構成が異なってもよく、アップリンク−ダウンリンクが依拠するアップリンク−ダウンリンク構成のタイミングも異なってもよく、このようにして、ＦＤＤセルとＴＤＤセルのアグリゲーションの柔軟性をさらに向上させ、ＴＤＤとＦＤＤのリソースを十分に効率的に利用する可能性がある。
【００９０】
以下、具体的に例を挙げて本発明を説明する。
【００９１】
実施例１：
あるＵＥに対して、ネットワークは、ＵＥのために二つのｃｅｌｌをダウンリンクアグリゲーションし、１つがＴＤＤ  ｃｅｌｌであり、１つがＦＤＤ  ｃｅｌｌである。当該ＴＤＤ  ｃｅｌｌのアップリンク−ダウンリンク構成は構成２であり、ネットワークは、ＴＤＤ  ＣＥＬＬをプライマリセルとして構成し、ＦＤＤ  ＣＥＬＬをセカンダリセルとして構成し、前記二つのセルのダウンリンクＨＡＲＱ情報がプライマリセルに対応するアップリンクサブフレームで集中されて送信される。ＵＥのダウンリンクデータ速率を向上させるために、ＵＥがＦＤＤ  ｃｅｌｌを検出する複雑度を同時に下げるために、ネットワークは、ＦＤＤ  ｃｅｌｌの若干のダウンリンクサブフレームを、ＰＤＳＣＨを当該ＵＥへ送信する可能性があるサブフレームとして構成する。例えば、各無線フレームのダウンリンクサブフレーム０、ダウンリンクサブフレーム１、ダウンリンクサブフレーム４、ダウンリンクサブフレーム５、ダウンリンクサブフレーム６、ダウンリンクサブフレーム９を、ＰＤＳＣＨを当該ＵＥへ送信する可能性があるサブフレームとして構成する。ここからわかるように、上述したダウンリンクサブフレームが１つの無線フレームのダウンリンクサブフレームはアップリンク−ダウンリンク構成２に含まれているダウンリンクサブフレームの１つの部分集合である。
【００９２】
上述したＦＤＤセルに対して、送信側において、ネットワークは前記構成情報をＵＥへ通知してアップリンク−ダウンリンク構成２におけるＰＤＳＣＨのＨＡＲＱタイミングを使用することに合意する。本発明実施例によって、前記ダウンリンクサブフレームが１つの無線フレームにおけるダウンリンクサブフレームは、アップリンク−ダウンリンク構成２に含まれているダウンリンクサブフレームの１つの部分集合であり、ネットワークはアップリンク−ダウンリンク構成２におけるＰＤＳＣＨのＨＡＲＱタイミングに基づいて前記ダウンリンクサブフレーム０、ダウンリンクサブフレーム１、ダウンリンクサブフレーム４、ダウンリンクサブフレーム５、ダウンリンクサブフレーム６、ダウンリンクサブフレーム９のＨＡＲＱタイミングを確定する。例えば、前記ＦＤＤ  ｃｅｌｌはプライマリセルフレームと同期すると仮定する。
【００９３】
ネットワークが前記ＦＤＤ  ｃｅｌｌのダウンリンクサブフレーム０でＰＤＳＣＨを送信する時に、ネットワークは、プライマリセルの当該無線フレームのサブフレーム７で当該ＰＤＳＣＨのＨＡＲＱ情報を受信すべきである。
【００９４】
ネットワークが前記ＦＤＤ  ｃｅｌｌダウンリンクサブフレーム１でＰＤＳＣＨを送信するときに、ネットワークは、プライマリセルの当該無線フレームのサブフレーム７で当該ＰＤＳＣＨのＨＡＲＱ情報を受信すべきである。
【００９５】
ネットワークが前記ＦＤＤ  ｃｅｌｌダウンリンクサブフレーム４でＰＤＳＣＨを送信するときに、ネットワークは、プライマリセルの次の１つの無線フレームのサブフレーム２で当該ＰＤＳＣＨのＨＡＲＱ情報を受信すべきである。
【００９６】
ネットワークが前記ＦＤＤ  ｃｅｌｌダウンリンクサブフレーム５でＰＤＳＣＨを送信するときに、ネットワークは、プライマリセルの次の１つの無線フレームのサブフレーム２で当該ＰＤＳＣＨのＨＡＲＱ情報を受信すべきである。
【００９７】
ネットワークが前記ＦＤＤ  ｃｅｌｌダウンリンクサブフレーム６でＰＤＳＣＨを送信するときに、ネットワークは、プライマリセルの次の１つの無線フレームのサブフレーム２で当該ＰＤＳＣＨのＨＡＲＱ情報を受信すべきである。
【００９８】
ネットワークが前記ＦＤＤ  ｃｅｌｌダウンリンクサブフレーム９でＰＤＳＣＨを送信するときに、ネットワークは、プライマリセルの次の１つの無線フレームのサブフレーム７で当該ＰＤＳＣＨのＨＡＲＱ情報を受信すべきである。
【００９９】
相応的に、受信側において、ＵＥは、ネットワークから送信された前記構成情報を正しく受信した後に、アップリンク−ダウンリンク構成２におけるＰＤＳＣＨのＨＡＲＱタイミングに基づいて前記サブフレームでＨＡＲＱ情報のフィードバックを行うべきである。例えば、
ＵＥは、現在無線フレームのサブフレーム２で、前の１つの無線フレームのサブフレーム４、サブフレーム５、サブフレーム６のＰＤＳＣＨに対してＨＡＲＱ情報フィードバックを行うべきである。
【０１００】
ＵＥは、現在無線フレームのサブフレーム７で、前の１つの無線フレームのサブフレーム９、現在無線フレームのサブフレーム０、サブフレーム１のＰＤＳＣＨに対してＨＡＲＱ情報フィードバックを行うべきである。
【０１０１】
図４は、本発明実施例の前記ＦＤＤ  ｃｅｌｌのダウンリンクサブフレームでＰＤＳＣＨを送信すること、および、ＵＥがＴＤＤ  ｃｅｌｌのアップリンクでＨＡＲＱ情報を送信するＨＡＲＱタイミングの模式図を提供する。
【０１０２】
前記構成サブフレームにおいて、ある１つの無線フレームのダウンリンクサブフレーム０、ダウンリンクサブフレーム１、ダウンリンクサブフレーム４、ダウンリンクサブフレーム５、ダウンリンクサブフレーム６、ダウンリンクサブフレーム９を、ＰＤＳＣＨを当該ＵＥへ送信する可能性があるサブフレームとして構成する。実際的に、複数の無線フレームのダウンリンクサブフレーム０、ダウンリンクサブフレーム１、ダウンリンクサブフレーム４、ダウンリンクサブフレーム５、ダウンリンクサブフレーム６、ダウンリンクサブフレーム９を、ＰＤＳＣＨを当該ＵＥへ送信する可能性があるサブフレームとして構成することができる。さらに、異なる無線フレームのサブフレーム構成は同じであってもよく、異なってもよい。例えば、前記ＦＤＤ  ｃｅｌｌの一番目の無線フレームのダウンリンクサブフレーム０、ダウンリンクサブフレーム１、ダウンリンクサブフレーム４、ダウンリンクサブフレーム５、ダウンリンクサブフレーム６、ダウンリンクサブフレーム９を、ＰＤＳＣＨを当該ＵＥへ送信する可能性があるサブフレームとして構成することができ、九番目の無線フレームのダウンリンクサブフレーム４、ダウンリンクサブフレーム５、ダウンリンクサブフレーム６、ダウンリンクサブフレーム７、ダウンリンクサブフレーム８、ダウンリンクサブフレーム９を、ＰＤＳＣＨを当該ＵＥへ送信する可能性があるサブフレームとして構成することができる。本発明の前記方法によれば、ネットワークとＵＥは、一番目の無線フレームがアップリンク−ダウンリンク構成２におけるＰＤＳＣＨのＨＡＲＱタイミングを使用し、九番目の無線フレームがアップリンク−ダウンリンク構成４においてＰＤＳＣＨのＨＡＲＱタイミングを使用することに合意できる。ここで詳細な説明を省略する。
【０１０３】
上述したＴＤＤセルに対して、ダウンリンクサブフレームで当該ＵＥへ送信されたＰＤＳＣＨに対して、そのＨＡＲＱタイミングは、従来のＬＴＥ／ＬＴＥ−Ａｄｖａｎｃｅｄ  ＴＤＤシステムのタイミングを使用できる。ここで詳細な説明を省略する。
【０１０４】
実施例２：
あるＵＥに対して、ネットワークは、ＵＥのために五つのｃｅｌｌをダウンリンクアグリゲーションし、二つがＴＤＤ  ｃｅｌｌであり、三つがＦＤＤ  ｃｅｌｌである。そのなかの１つのＴＤＤ  ｃｅｌｌがプライマリセルであり、そのアップリンク−ダウンリンク構成が構成１であり、他の四つのｃｅｌｌがセカンダリセルであると仮定する。この五つのセルのダウンリンクＨＡＲＱ情報はプライマリセルに対応するアップリンクサブフレームで集中されて送信される。
【０１０５】
上述したＴＤＤセルに対して、ダウンリンクサブフレームで当該ＵＥへ送信されたＰＤＳＣＨに対して、そのＨＡＲＱタイミングは、従来のＬＴＥ／ＬＴＥ−Ａｄｖａｎｃｅｄ  ＴＤＤシステムのタイミングを使用でき、ここで詳細な説明を省略する。
【０１０６】
一番目のＦＤＤセルに対して、ネットワークは、各無線フレームのダウンリンクサブフレーム０を、当該ＵＥへＰＤＳＣＨを送信する可能性があるサブフレームとして構成すると仮定する。
【０１０７】
二番目ＦＤＤセルに対して、各無線フレームのダウンリンクサブフレーム０、ダウンリンクサブフレーム１、ダウンリンクサブフレーム３、ダウンリンクサブフレーム４、ダウンリンクサブフレーム５、ダウンリンクサブフレーム６、ダウンリンクサブフレーム８、ダウンリンクサブフレーム９を、当該ＵＥへＰＤＳＣＨを送信する可能性があるサブフレームとして構成すると仮定する。
【０１０８】
三番目のＦＤＤセルに対して、各無線フレームのダウンリンクサブフレーム０、ダウンリンクサブフレーム１、ダウンリンクサブフレーム８を、当該ＵＥへＰＤＳＣＨを送信する可能性があるサブフレームとして構成すると仮定する。
【０１０９】
前記一番目のＦＤＤセルに対して、ネットワークにより構成されたサブフレームがプライマリセルのアップリンク−ダウンリンク構成（構成１）におけるダウンリンクサブフレームの１つの部分集合であることを発見できるので、当該ＣＥＬＬダウンリンクサブフレームで当該ＵＥへ送信したＰＤＳＣＨに対して、そのＨＡＲＱタイミングは、実施例１の方法で処理できる。ここで詳細な説明を省略する。
【０１１０】
前記二番目のＦＤＤセルに対して、ネットワークにより構成されたサブフレームがプライマリセルのアップリンク−ダウンリンク構成（構成１）におけるダウンリンクサブフレームの１つの上位集合であることを発見でき、同時に、当該構成がアップリンク−ダウンリンク構成２におけるダウンリンクサブフレームの１つの部分集合であることを発見できるので、前記二番目のＦＤＤセルに対して、送信側において、ネットワークは前記構成情報をＵＥへ通知して、アップリンク−ダウンリンク構成２におけるＰＤＳＣＨのＨＡＲＱタイミングを使用することに合意する。本発明によれば、前記ダウンリンクサブフレームが１つの無線フレームにおけるダウンリンクサブフレームは、アップリンク−ダウンリンク構成２に含まれているダウンリンクサブフレームの１つの部分集合であり、ネットワークは、アップリンク−ダウンリンク構成２におけるＰＤＳＣＨのＨＡＲＱタイミングに基づいて、前記ダウンリンクサブフレーム０、ダウンリンクサブフレーム１、ダウンリンクサブフレーム３、ダウンリンクサブフレーム４、ダウンリンクサブフレーム５、ダウンリンクサブフレーム６、ダウンリンクサブフレーム８、ダウンリンクサブフレーム９のＨＡＲＱタイミングを確定する。
【０１１１】
ネットワークが上述した二番目のＦＤＤ  ｃｅｌｌのダウンリンクサブフレーム０でＰＤＳＣＨを送信する時に、ネットワークは、プライマリセルの当該無線フレームのサブフレーム７で当該ＰＤＳＣＨのＨＡＲＱ情報を受信すべきである。
【０１１２】
ネットワークが上述した二番目のＦＤＤ  ｃｅｌｌのダウンリンクサブフレーム１でＰＤＳＣＨを送信する時に、ネットワークは、プライマリセルの当該無線フレームのサブフレーム７で当該ＰＤＳＣＨのＨＡＲＱ情報を受信すべきである。
【０１１３】
ネットワークが上述した二番目ＦＤＤ  ｃｅｌｌのダウンリンクサブフレーム３でＰＤＳＣＨを送信する時に、ネットワークは、プライマリセルの当該無線フレームのサブフレーム７で当該ＰＤＳＣＨのＨＡＲＱ情報を受信すべきである。
【０１１４】
ネットワークが上述した二番目ＦＤＤ  ｃｅｌｌのダウンリンクサブフレーム４でＰＤＳＣＨを送信する時に、ネットワークは、プライマリセルの次の１つの無線フレームのサブフレーム２で当該ＰＤＳＣＨのＨＡＲＱ情報を受信すべきである。
【０１１５】
ネットワークが上述した二番目ＦＤＤ  ｃｅｌｌのダウンリンクサブフレーム５でＰＤＳＣＨを送信する時に、ネットワークは、プライマリセルの次の１つの無線フレームのサブフレーム２で当該ＰＤＳＣＨのＨＡＲＱ情報を受信すべきである。
【０１１６】
ネットワークが上述した二番目ＦＤＤ  ｃｅｌｌのダウンリンクサブフレーム６でＰＤＳＣＨを送信する時に、ネットワークは、プライマリセルの次の１つの無線フレームのサブフレーム２で当該ＰＤＳＣＨのＨＡＲＱ情報を受信すべきである。
【０１１７】
ネットワークが上述した二番目ＦＤＤ  ｃｅｌｌのダウンリンクサブフレーム８でＰＤＳＣＨを送信する時に、ネットワークは、プライマリセルの次の１つの無線フレームのサブフレーム２で当該ＰＤＳＣＨのＨＡＲＱ情報を受信すべきである。
【０１１８】
ネットワークが上述した二番目ＦＤＤ  ｃｅｌｌのダウンリンクサブフレーム９でＰＤＳＣＨを送信する時に、ネットワークは、プライマリセルの次の１つの無線フレームのサブフレーム７で当該ＰＤＳＣＨのＨＡＲＱ情報を受信すべきである。
【０１１９】
相応的に、受信側において、ＵＥは、ネットワークから送信された前記構成情報を正しく受信した後に、アップリンク−ダウンリンク構成２においてＰＤＳＣＨのＨＡＲＱタイミングに基づいて前記サブフレームに対してＨＡＲＱ情報のフィードバックを行うべきである。例えば、
ＵＥは、プライマリセルにおいて現在無線フレームのサブフレーム２で上述した二番目のＦＤＤ  ｃｅｌｌの前の１つの無線フレームのサブフレーム４、サブフレーム５、サブフレーム６、サブフレーム８のＰＤＳＣＨに対してＨＡＲＱ情報フィードバックを行うべきである。
【０１２０】
ＵＥは、プライマリセルの現在無線フレームのサブフレーム７で上述した二番目のＦＤＤ  ｃｅｌｌの前の１つの無線フレームのサブフレーム９、現在無線フレームのサブフレーム０、サブフレーム１、サブフレーム３のＰＤＳＣＨに対してＨＡＲＱ情報フィードバックを行うべきである。
【０１２１】
図５は、本発明の上述した二番目のＦＤＤ  ｃｅｌｌのダウンリンクサブフレームでＰＤＳＣＨを送信すること、および、ＵＥがＴＤＤ  ｃｅｌｌのアップリンクでＨＡＲＱ情報のＨＡＲＱタイミングを送信することを示す模式図である。
【０１２２】
また、上述した二番目のＦＤＤセルに対して、ネットワークにより構成されたサブフレームがアップリンク−ダウンリンク構成５におけるダウンリンクサブフレームの１つの部分集合であることを発見できるので、ネットワークとＵＥは、さらに、アップリンク−ダウンリンク構成５におけるＰＤＳＣＨのＨＡＲＱタイミングに基づいて前記ダウンリンクサブフレーム０、ダウンリンクサブフレーム１、ダウンリンクサブフレーム３、ダウンリンクサブフレーム４、ダウンリンクサブフレーム５、ダウンリンクサブフレーム６、ダウンリンクサブフレーム８、ダウンリンクサブフレーム９のＨＡＲＱタイミングを確定できる。
【０１２３】
選択可能なＨＡＲＱタイミングが複数である場合について、ネットワークとＵＥの両方は、そのなかの１つを使用することに合意する。例えば、アップリンク−ダウンリンク構成インデックスがより小さいタイミングを使用することに合意する。
【０１２４】
上述した三番目のＦＤＤセルに対して、ネットワークにより構成されたサブフレームがプライマリセルのアップリンク−ダウンリンク構成（構成１）におけるダウンリンクサブフレームの１つの部分集合ではなく、プライマリセルのアップリンク−ダウンリンク構成（構成１）におけるダウンリンクサブフレームの１つの上位集合でもないが、当該構成がアップリンク−ダウンリンク構成２、３、４、５におけるダウンリンクサブフレームの１つの部分集合であることを発見できる。本発明の前記方法によれば、ネットワークとＵＥは、アップリンク−ダウンリンク構成２または４または５におけるＰＤＳＣＨのＨＡＲＱタイミングに基づいて前記ダウンリンクサブフレーム０、ダウンリンクサブフレーム１、ダウンリンクサブフレーム８のＨＡＲＱタイミングを確定することに合意できる。しかしながら、アップリンク−ダウンリンク構成３のアップリンクサブフレームがアップリンク−ダウンリンク構成１の部分集合ではないので、アップリンク−ダウンリンク構成３におけるＰＤＳＣＨのＨＡＲＱタイミングを使用して前記ダウンリンクサブフレームのＨＡＲＱタイミングを確定することに合意してはならない。
【０１２５】
実施例３：
あるＵＥに対して、ネットワークは、ＵＥのために三つのｃｅｌｌをアップリンクアグリゲーションし、１つがＴＤＤ  ｃｅｌｌであり、二つがＦＤＤ  ｃｅｌｌであり、かつ、ＵＥは、非クロスキャリアスケジューリングモードで動作する。
【０１２６】
上述した一番目のＦＤＤセルに対して、ネットワークは、ＵＥのために各無線フレームのアップリンクサブフレーム２、アップリンクサブフレーム３、アップリンクサブフレーム７を、ＵＥがＰＵＳＣＨを送信可能なサブフレームとして構成すると仮定する。
【０１２７】
上述した二番目のＦＤＤセルに対して、ネットワークは、ＵＥのために各無線フレームのアップリンクサブフレーム２、アップリンクサブフレーム３をＵＥがＰＵＳＣＨを送信可能なサブフレームとして構成すると仮定する。
【０１２８】
上述した一番目のＦＤＤセルに対して、前記アップリンクサブフレームはアップリンク−ダウンリンク構成１に含まれているアップリンクサブフレームの１つの部分集合であり、ＵＥが前記サブフレームで送信されたＰＵＳＣＨに対して、そのＨＡＲＱタイミングに対して、ネットワークとＵＥは、いずれもアップリンク−ダウンリンク構成１においてＰＵＳＣＨのＨＡＲＱタイミングを使用することに合意できる。例えば、
ネットワーク側において、ネットワークは、アップリンクサブフレーム２でＵＥから送信されたＰＵＳＣＨを検出した場合に、当該ｃｅｌｌの同じ無線フレームのダウンリンクサブフレーム６で当該ＰＵＳＣＨのＨＡＲＱ情報を送信すべきである。
【０１２９】
ネットワーク側において、ネットワークは、アップリンクサブフレーム３でＵＥから送信されたＰＵＳＣＨを検出した場合に、当該ｃｅｌｌの同じ無線フレームのダウンリンクサブフレーム９で当該ＰＵＳＣＨのＨＡＲＱ情報を送信すべきである。
【０１３０】
ネットワーク側において、ネットワークは、アップリンクサブフレーム７でＵＥから送信されたＰＵＳＣＨを検出した場合に、当該ｃｅｌｌの次の１つの無線フレームのダウンリンクサブフレーム１で当該ＰＵＳＣＨのＨＡＲＱ情報を送信すべきである。
【０１３１】
ＵＥ側において：
ＵＥは、ダウンリンクサブフレーム１でネットワークから送信されたアップリンク許可情報を検出した場合に、当該無線フレームのアップリンクサブフレーム７で相応的なＰＵＳＣＨを送信すべきである。
【０１３２】
ＵＥは、ダウンリンクサブフレーム６でネットワークから送信されたアップリンク許可情報を検出した場合に、当該無線フレームの後の１つの無線フレームのアップリンクサブフレーム２で相応的なＰＵＳＣＨを送信すべきである。
【０１３３】
ＵＥは、ダウンリンクサブフレーム９でネットワークから送信されたアップリンク許可情報を検出した場合に、当該無線フレームの次の１つの無線フレームのアップリンクサブフレーム３で相応的なＰＵＳＣＨを送信すべきである。
【０１３４】
図６は、本発明の上述した一番目のＦＤＤセルのＰＵＳＣＨのＨＡＲＱタイミングを使用した模式図を提供する。
【０１３５】
なお、前記アップリンクサブフレームは、アップリンク−ダウンリンク構成０、６に含まれているアップリンクサブフレームの１つの部分集合であるので、ネットワークとＵＥは、アップリンク−ダウンリンク構成０または６におけるＰＵＳＣＨのＨＡＲＱタイミングを使用することに合意できる。
【０１３６】
ネットワークとＵＥは、アップリンク−ダウンリンク構成０または６または１におけるＰＵＳＣＨのＨＡＲＱタイミングを使用することに合意する方法は、複数の種類がある。例えば、ハイレイヤシグナル、フィジカルレイヤシグナルなどの明示的シグナルのやり方でＵＥへ通知してもよく、暗黙的やり方でＵＥへ通知してもよい。例えば、前記サブフレーム構成と使用されたＨＡＲＱタイミングの間にあるマッチング関係が確立され、ネットワークとＵＥは同じマッチング関係を使用することに合意し、このように、ＵＥは、前記サブフレーム構成情報を取得した後に、その使用すべきなＨＡＲＱタイミング情報も同時に取得する。
【０１３７】
複数のアップリンク−ダウンリンク構成におけるＰＵＳＣＨのＨＡＲＱタイミング関係が選択されることができる時に、ネットワーク側デバイスとＵＥは、そのなかの１つを使用することに合意できる。例えば、この複数のＰ値においてＰ値が最小に対応するアップリンク−ダウンリンク構成におけるＰＵＳＣＨのＨＡＲＱタイミング、または、最大のＰ値に対応するアップリンク−ダウンリンク構成におけるＰＵＳＣＨのＨＡＲＱタイミング、または、ＨＡＲＱ遅延最小に対応するアップリンク−ダウンリンク構成におけるＰＵＳＣＨのＨＡＲＱタイミング関係を使用することに合意できる。合意条件の動的な変化に基づいて異なる時刻に異なるアップリンク−ダウンリンク構成におけるＰＵＳＣＨのＨＡＲＱタイミングを使用することに合意できてもよい。
【０１３８】
上述した二番目のＦＤＤセルに対して、前記アップリンクサブフレームはアップリンク−ダウンリンク構成０、１、３、４、６に含まれているアップリンクサブフレームの１つの部分集合であるので、ネットワークとＵＥは、アップリンク−ダウンリンク構成０または１または３または４または６におけるＰＵＳＣＨのＨＡＲＱタイミングを使用することに合意でき、その方法は、上述した一番目のＦＤＤセルに対する方法と類似して、ここで詳細な説明を省略する。
【０１３９】
上述したＴＤＤセルに対して、ＵＥがアップリンクサブフレームで送信されたＰＵＳＣＨに対して、そのＨＡＲＱタイミングは従来のＬＴＥ／ＬＴＥ−Ａｄｖａｎｃｅｄ  ＴＤＤシステムのＨＡＲＱタイミングを使用でき、ここで詳細な説明を省略する。
【０１４０】
実施例４：
あるＵＥに対して、ネットワークはＵＥのために五つのｃｅｌｌをアップリンクアグリゲーションし、二つがＴＤＤ  ｃｅｌｌであり、三つがＦＤＤ  ｃｅｌｌであり、かつＵＥがクロスキャリアスケジューリングモードで動作する。上述した一番目と二番目のＦＤＤ  ｃｅｌｌに対して、これらのｃｅｌｌにおいてＰＵＳＣＨのアップリンク許可（ＰＤＣＣＨまたはＰＨＩＣＨ）をスケジュールして前記一番目のＴＤＤ  ｃｅｌｌで送信し、上述した三番目のＦＤＤ  ｃｅｌｌに対して、これらのｃｅｌｌにおいてＰＵＳＣＨのアップリンク許可（ＰＤＣＣＨまたはＰＨＩＣＨ）をスケジュールして前記二番目のＴＤＤ  ｃｅｌｌで送信する。前記一番目、二番目のＴＤＤ  ｃｅｌｌのアップリンク−ダウンリンク構成は、それぞれアップリンク−ダウンリンク構成６、構成１である。
【０１４１】
上述した一番目のＦＤＤセルに対して、ネットワークはＵＥのために各無線フレームのアップリンクサブフレーム２をＵＥがＰＵＳＣＨを送信可能なサブフレームとして構成すると仮定する。
【０１４２】
上述した二番目のＦＤＤセルに対して、ネットワークはＵＥのために各無線フレームのアップリンクサブフレーム２、サブフレーム３、サブフレーム４をＵＥがＰＵＳＣＨを送信可能なサブフレームとして構成すると仮定する。
【０１４３】
上述した三番目のＦＤＤセルに対して、ネットワークはＵＥのために各無線フレームのアップリンクサブフレーム２、サブフレーム８をＵＥがＰＵＳＣＨを送信可能なサブフレームとして構成すると仮定する。
【０１４４】
上述した一番目のＦＤＤセルに対して、ネットワークにより構成されたアップリンクサブフレームはアップリンク−ダウンリンク構成５の部分集合であり、これらのｃｅｌｌにおいてＰＵＳＣＨのアップリンク許可（ＰＤＣＣＨまたはＰＨＩＣＨ）をスケジュールして前記一番目のＴＤＤ  ｃｅｌｌ（アップリンク−ダウンリンク構成６）で送信することを考えて、アップリンク−ダウンリンク構成６のＰＵＳＣＨのＲＴＴが１０ＭＳではない。また、本発明に基づいて、ネットワークとＵＥは、アップリンク−ダウンリンク構成１におけるＰＵＳＣＨのＨＡＲＱタイミングを使用することに合意できる。また、ネットワークにより構成された前記アップリンクサブフレームは、他のアップリンク−ダウンリンク構成に含まれているアップリンクサブフレームの１つの部分集合であることを発見できたので、ネットワークとＵＥは、また、他のアップリンク−ダウンリンク構成におけるＰＵＳＣＨのＨＡＲＱタイミングを使用することに合意できる。複数のアップリンク−ダウンリンク構成におけるＰＵＳＣＨのＨＡＲＱタイミングが選択されることができる状況に対して、ネットワークは、また、若干の簡単な原則に基づいて最も好ましいのを選択でき、例えば、スケジュールされることができるサブフレーム数が最も多いの原則に基づいて最も好ましいのを選択でき、ネットワークとＵＥは、アップリンク−ダウンリンク構成０、１、６におけるＰＵＳＣＨのＨＡＲＱタイミングを使用することに合意し、前記構成のサブフレームに対して、そのＨＡＲＱタイミングは同じであるが、ネットワークとＵＥがアップリンク−ダウンリンク構成３、４、５におけるＰＵＳＣＨのＨＡＲＱタイミングを使用することに合意し、これらの構成において前記サブフレームをスケジュールすることについて前記一番目のＴＤＤ  ｃｅｌｌにおいてアップリンクサブフレームである可能性があることを考えて、即ち、ネットワークは、前記ＦＤＤ  ｃｅｌｌのアップリンクサブフレームをスケジュールできない。しかしながら、「スケジュールされることができるサブフレーム数が最も多い」との原則に基づいて、これらの良くないＨＡＲＱタイミングを容易的に除外することができる。もちろん、「当該構成のダウンリンクサブフレームも前記一番目のＴＤＤ  ｃｅｌｌのアップリンク−ダウンリンク構成におけるダウンリンクサブフレームの部分集合であることを要求する」ことによって、これらの良くないＨＡＲＱタイミングを容易に除外することもできる。ここで詳細な説明を省略する。
【０１４５】
上述した二番目のＦＤＤセルに対して、ネットワークにより構成されたアップリンクサブフレームは、アップリンク−ダウンリンク構成０の部分集合である。また、これらのｃｅｌｌにおいてＰＵＳＣＨのアップリンク許可（ＰＤＣＣＨまたはＰＨＩＣＨ）をスケジュールして前記一番目のＴＤＤ  ｃｅｌｌ（アップリンク−ダウンリンク構成６）で送信することを考えて、アップリンク−ダウンリンク構成６のＰＵＳＣＨのＲＴＴは１０ＭＳではない。本発明に基づいて、ネットワークとＵＥは、アップリンク−ダウンリンク構成０においてＰＵＳＣＨのＨＡＲＱタイミングを使用することに合意する。
【０１４６】
上述した三番目のＦＤＤセルに対して、そのＰＵＳＣＨは上述した二番目のＴＤＤセルによりクロスキャリヤスケジュールされ（アップリンク−ダウンリンク構成１）、ネットワークが上述した三番目のＦＤＤセルに構成したアップリンクサブフレームはアップリンク−ダウンリンク構成１の部分集合であり、かつ、アップリンク−ダウンリンク構成１におけるＰＵＳＣＨのＲＴＴは１０ＭＳであることを考えて、本発明に基づいて、ネットワークとＵＥは、アップリンク−ダウンリンク構成１におけるＰＵＳＣＨのＨＡＲＱタイミングを使用することに合意できる。図７は、本発明の上述した三番目のＦＤＤセルのＰＵＳＣＨのＨＡＲＱタイミングを使用する模式図を提供する。
【０１４７】
上述したＴＤＤセルに対して、ＵＥがアップリンクサブフレームに送信したＰＵＳＣＨに対して、そのＨＡＲＱタイミングは従来のＬＴＥ／ＬＴＥ−Ａｄｖａｎｃｅｄ  ＴＤＤシステムのＨＡＲＱタイミングを使用できる。ここで詳細な説明を省略する。
【０１４８】
上記は、本発明の好ましい実施形態に過ぎなく、本発明の保護範囲を制限するものではない。当業者にとって、本発明は、各種類の変更と変化があることができ、本発明の精神と原則内にされたいかなる修正、同等取替え、改正などが、いずれも本発明の特許請求の範囲に含まれると理解すべきである。例えば、本発明に適用されたシステムはＬＴＥシステムに制限されない。
【０１４９】
本発明の実施例に係る前記集積されたモジュールが、ソフトウェア機能モジュールで実現されて独立した製品として販売または使用される場合、１つのコンピュータ可読記憶媒体に記憶されてもよい。このような理解に基づいて、本発明の実施例に係る技術的解決手段は、本質的にまたは従来技術への貢献の部分は、ソフトウェア製品の形態で体現できる。当該コンピュータソフトウェア製品は、１つの記憶媒体に記憶され、一台のコンピュータデバイス（個人パソコン、サーバー、またはネットワークデバイスなどであってもよい）が本発明の各実施例に係る前記方法の全部または一部を実行できるように、若干の命令を含む。前記記憶媒体には、Ｕディスク、移動ディスク、リードーオーリーメモリー（ＲＯＭ、Ｒｅａｄ−Ｏｎｌｙ  Ｍｅｍｏｒｙ）、ランドームアクセスメモリー（ＲＡＭ、Ｒａｎｄｏｍ  Ａｃｃｅｓｓ  Ｍｅｍｏｒｙ）、磁盤または光ディスクなどの各種類のプログラムコードを記憶できる媒体が含まれる。このように、本発明の実施例は、いかなる特定なハードウェアとソフトウェアの結合に限定されない。
【０１５０】
相応的に、本発明の実施例では、さらに、コンピュータ記憶媒体を提供する。前記コンピュータ記憶媒体は、本発明の実施例に係るスペクトルアグリゲーションのデータ送信方法を実行するためのコンピュータプログラマーが記憶されている。
【０１５１】
上記は、本発明の好ましい実施形態に過ぎなく、本発明の保護範囲を制限することに用いられるものではない。
【産業上の利用可能性】
【０１５２】
本発明の実施例に係る方法は、少なくとも１つの時分割二重（ＴＤＤ）セルと少なくとも１つの周波数分割二重（ＦＤＤ）セルが含まれている複数のセルをユーザーデバイス（ＵＥ）のために構成し、各セルは時間方面に時間同期関係を満足し、ダウンリンクアグリゲーションが複数の異なるタイプのセルで実行される場合に、前記複数のセルのダウンリンクハイブリッド自動再送要求（ＨＡＲＱ）情報を複数のセルにおける１つのＴＤＤセルに対応するアップリンクサブフレームで集中し送信し、前記ＴＤＤセルがプライマリセルであり、他のセルがセカンダリセルであり、プライマリセルのアップリンク−ダウンリンク構成が構成Ｘであり、Ｘ∈｛０，１，２，３，４，５，６｝であると仮定し、各ＦＤＤセルでＵＥのためにダウンリンクサブフレームを構成して、ネットワークが、構成されたダウンリンクサブフレームのみで前記ＵＥに対する物理ダウンリンク制御チャネル（ＰＤＣＣＨ）／物理ダウンリンク共有チャネル（ＰＤＳＣＨ）を送信でき、ＵＥが、構成されたダウンリンクサブフレームで前記ＰＤＣＣＨ／ＰＤＳＣＨを検出し受信できるようにすることを含む。本発明によれば、サブフレームに対する構成に基づいて、ＴＤＤとＦＤＤが同時にアグリゲーションされるときにデータを送信して、十分に効率的にＴＤＤとＦＤＤリソースを利用でき、既存の基地局と端末の実装にも有利である。
【図１】
0006312817.tif 000005
【図２】
0006312817.tif 000006
【図３】
0006312817.tif 000007
【図４】
0006312817.tif 000008
【図５】
0006312817.tif 000009
【図６】
0006312817.tif 000010
【図７】
0006312817.tif 000011
【図８】
0006312817.tif 000012